(57)【要約】柔軟な無線アクセス通信システムを実施するためのシステム、方法、および手段を、開示することができる。柔軟な無線アクセス通信システムは、同じおよび／または異なる周波数バンド内の隣接しないキャリアのアグリゲーションを含む、サイズが変化するスペクトルを使用して、サポートすることができる。無線送受信ユニット（ＷＴＲＵ）は、共通ダウンリンク制御チャネルを介して、第１の送信を受信することができる。第１の送信は、第１の制御情報を含むことができる。第１の制御情報は、１つまたは複数の専用制御チャネルのうちの第１の専用ダウンリンク制御チャネルの構成に関する情報を含むことができる。ＷＴＲＵは、専用制御チャネルのうちの第１の専用ダウンリンク制御チャネルを介して、第２の送信を受信することができる。第２の送信は、第２の制御情報を含むことができる。第２の制御情報は、第１の送信タイプの送信と関連付けることができる。専用ダウンリンク制御チャネルは、異なるタイプの送信と関連付けられた制御情報を提供するために、使用することができる。
2018531538.tif 000002
【特許請求の範囲】
【請求項１】
少なくとも部分的に、
共通ダウンリンク制御チャネルを介して、第１の送信を受信し、前記第１の送信は第１の制御情報を含んでおり、前記第１の制御情報は、複数の専用制御チャネルのうちの少なくとも第１の専用ダウンリンク制御チャネルの構成に関する情報を含んでおり、
前記複数の専用制御チャネルのうちの前記第１の専用ダウンリンク制御チャネルを介して、第２の送信を受信し、前記第２の送信は第１の送信タイプの送信と関連付けられた第２の制御情報を含んでおり、前記複数の専用ダウンリンク制御チャネルは各々、異なるタイプの送信と関連付けられた制御情報を提供するために使用される
ように構成されたプロセッサ
を備えた無線送受信ユニット（ＷＴＲＵ）。
【請求項２】
前記異なるタイプの送信は、サービスタイプ、トラフィックタイプ、波形のタイプ、または前記送信のために使用されるリソースのタイプのうちの１つまたは複数（１つ以上）に基づいて定義される請求項１に記載のＷＴＲＵ。
【請求項３】
前記異なるタイプの送信は、ＷＴＲＵカテゴリ、またはＷＴＲＵ能力に基づいている請求項１に記載のＷＴＲＵ。
【請求項４】
前記複数の専用ダウンリンク制御チャネルは、波形タイプ、リソース要素（ＲＥ）タイプ、制御リソース要素（ＣＲＥ）タイプ、制御チャネルタイプ、または送信時間間隔（ＴＴＩ）長のうちの１つまたは複数（１つ以上）についての異なるタイプを利用する請求項１に記載のＷＴＲＵ。
【請求項５】
前記複数の専用ダウンリンク制御チャネルは、サブキャリア間隔、タイプシンボル長、ガード時間、またはサイクリックプレフィックス長のうちの１つまたは複数についての異なるタイプを利用する請求項１に記載のＷＴＲＵ。
【請求項６】
前記複数の専用ダウンリンク制御チャネルは、ＷＴＲＵ能力、サービスタイプ、またはトラフィックタイプのうちの少なくとも１つに基づいて構成され得る請求項１に記載のＷＴＲＵ。
【請求項７】
前記共通ダウンリンク制御チャネル内のダウンリンク制御情報（ＤＣＩ）は、前記複数の専用ダウンリンク制御チャネルのうちの１つまたは複数（１つ以上）の存在を示している請求項１に記載のＷＴＲＵ。
【請求項８】
前記共通ダウンリンク制御チャネルは、物理共通ダウンリンク制御チャネル（ＰＣＤＣＣＨ）であり、前記複数の専用ダウンリンク制御チャネルのうちの１つまたは複数は、物理専用ダウンリンク制御チャネル（ＰＤＤＣＣＨ）である請求項１に記載のＷＴＲＵ。
【請求項９】
制御チャネルタイプの前記複数の専用制御チャネルのうちの１つまたは複数（１つ以上）は、前記制御チャネルタイプと関連付けられたトラフィックタイプのために使用される周波数バンド内で送信され得る請求項１に記載のＷＴＲＵ。
【請求項１０】
前記トラフィックタイプは、超低待ち時間トラフィック、超信頼性トラフィック、狭帯域トラフィックまたは広帯域トラフィックを含む請求項９に記載のＷＴＲＵ。
【請求項１１】
ネットワーク内において通信を提供するための方法であって、
共通ダウンリンク制御チャネルを介して、無線送受信ユニット（ＷＴＲＵ）に第１の送信を送信するステップであって、前記第１の送信は第１の制御情報を含んでおり、前記第１の制御情報は複数の専用制御チャネルのうちの少なくとも第１の専用ダウンリンク制御チャネルの構成に関する情報を含んでいる、送信するステップと、
前記複数の専用制御チャネルのうちの前記第１の専用ダウンリンク制御チャネルを介して、前記ＷＴＲＵに第２の送信を受信するステップであって、前記第２の送信は第１の送信タイプの送信と関連付けられた第２の制御情報を含んでおり、前記複数の専用ダウンリンク制御チャネルは各々、異なるタイプの送信と関連付けられた制御情報を提供するために使用される、受信するステップと
を備える方法。
【請求項１２】
前記異なるタイプの送信は、サービスタイプ、トラフィックタイプ、波形のタイプまたは前記送信のために使用されるリソースのタイプのうちの１つまたは複数に基づいて定義される請求項１１に記載の方法。
【請求項１３】
前記異なるタイプの送信は、ＷＴＲＵカテゴリまたはＷＴＲＵ能力に基づいている請求項１１に記載の方法。
【請求項１４】
前記複数の専用ダウンリンク制御チャネルは、波形タイプ、リソース要素（ＲＥ）タイプ、制御リソース要素（ＣＲＥ）タイプ、制御チャネルタイプ、または送信時間間隔（ＴＴＩ）長のうちの１つまたは複数についての異なるタイプを利用する請求項１１に記載の方法。
【請求項１５】
前記複数の専用ダウンリンク制御チャネルは、サブキャリア間隔、タイプシンボル長、ガード時間またはサイクリックプレフィックス長のうちの１つまたは複数（１つ以上）についての異なるタイプを利用する請求項１１に記載の方法。
【請求項１６】
前記複数の専用ダウンリンク制御チャネルは、ＷＴＲＵ能力、サービスタイプ、またはトラフィックタイプのうちの少なくとも１つに基づいて構成することができる、請求項１１に記載の方法。
【請求項１７】
前記共通ダウンリンク制御チャネル内のダウンリンク制御情報（ＤＣＩ）は、前記複数の専用ダウンリンク制御チャネルのうちの１つまたは複数の存在を示している請求項１１に記載の方法。
【請求項１８】
前記共通ダウンリンク制御チャネルは、物理共通ダウンリンク制御チャネル（ＰＣＤＣＣＨ）であり、前記複数の専用ダウンリンク制御チャネルのうちの１つまたは複数（１つ以上）は、物理専用ダウンリンク制御チャネル（ＰＤＤＣＣＨ）である請求項１１に記載の方法。
【請求項１９】
制御チャネルタイプの前記複数の専用制御チャネルのうちの１つまたは複数（１つ以上）は、前記制御チャネルタイプと関連付けられたトラフィックタイプのために使用される周波数バンド内で送信され得る請求項１１に記載の方法。
【請求項２０】
前記トラフィックタイプは、超低待ち時間トラフィック、超信頼性トラフィック、狭帯域トラフィックまたは広帯域トラフィックを含む請求項１９に記載の方法。
【請求項２１】
少なくとも部分的に、
共通ダウンリンク制御チャネルを介して、第１の送信を受信し、前記第１の送信は第１の制御情報を含み、前記第１の制御情報は、複数の専用制御チャネルのうちの少なくとも第１の専用ダウンリンク制御チャネルの構成に関する情報を含んでおり、
前記複数の専用制御チャネルのうちの前記第１の専用ダウンリンク制御チャネルを介して、第２の送信を受信し、前記第２の送信は第１のタイプの送信リソース上において受信され、前記複数の専用ダウンリンク制御チャネルは各々、異なるタイプの送信リソースを使用して送信される
ように構成されたプロセッサ
を備えた無線送受信ユニット（ＷＴＲＵ）。
【請求項２２】
前記異なるタイプのリソースは、異なるタイプの波形を含む請求項２１に記載のＷＴＲＵ。
【請求項２３】
前記異なるタイプのリソースは、異なるサブキャリア間隔、異なるタイプシンボル長、または異なるガード時間のうちの１つまたは複数を含む請求項２１に記載のＷＴＲＵ。
【請求項２４】
前記異なるタイプのリソースは、異なるリソース要素（ＲＥ）タイプ、異なるリソースブロック（ＲＢ）タイプ、異なる制御リソース要素（ＣＲＥ）タイプ、または異なる制御リソース要素グループ（ＣＲＥＧ）タイプのうちの１つまたは複数を含む請求項２１に記載のＷＴＲＵ。
【請求項２５】
前記第１の専用制御チャネルを介して前記第２の送信を受信するために使用される前記第１のタイプの送信リソースは、前記共通ダウンリンク制御チャネルを介して前記第１の送信を受信するために使用されるのとは異なるタイプの送信リソースである請求項２１に記載のＷＴＲＵ。
【請求項２６】
前記第１のタイプの送信リソース上において受信される前記第２の送信は、第１の送信タイプの送信と関連付けられた第２の制御情報を含み、前記複数の専用ダウンリンク制御チャネルは各々、異なるタイプの送信と関連付けられた制御情報を提供するために使用される請求項２１に記載のＷＴＲＵ。
【請求項２７】
前記異なるタイプの送信は、サービスタイプ、トラフィックタイプ、波形のタイプまたは前記送信のために使用されるリソースのタイプのうちの１つまたは複数に基づいて定義される請求項２６に記載のＷＴＲＵ。
【請求項２８】
前記異なるタイプの送信は、ＷＴＲＵカテゴリまたはＷＴＲＵ能力に基づいている請求項２６に記載のＷＴＲＵ。
【請求項２９】
無線送受信ユニット（ＷＴＲＵ）によって実施される方法であって、
共通ダウンリンク制御チャネルを介して、第１の送信を受信するステップであって、前記第１の送信は第１の制御情報を含んでおり、前記第１の制御情報は、複数の専用制御チャネルのうちの少なくとも第１の専用ダウンリンク制御チャネルの構成に関する情報を含んでいる、受信するステップと、
前記複数の専用制御チャネルのうちの前記第１の専用ダウンリンク制御チャネルを介して、第２の送信を受信するステップであって、前記第２の送信は第１の送信タイプの送信と関連付けられた第２の制御情報を含んでおり、前記複数の専用ダウンリンク制御チャネルは各々、異なるタイプの送信と関連付けられた制御情報を提供するために使用される、受信するステップと
を含む方法。
【発明の詳細な説明】
【技術分野】
【０００１】
本発明は、無線システムにおけるダウンリンク制御チャネルに関する。
【背景技術】
【０００２】
本出願は、あたかも完全に記載されているかのように参照により本明細書に組み込まれる、２０１５年８月２５日に出願された、米国特許仮出願第６２／２０９７９７号の利益を主張する。
【０００３】
直交周波数分割多重（ＯＦＤＭ）は、ロングタームエボリューション（ＬＴＥ）およびＩＥＥＥ８０２．１１通信システムにおいて、データ送信のために使用される、信号フォーマットとすることができる。ＯＦＤＭは、スペクトルを、複数の並列する直交サブバンドに分割することができる。サブキャリアを、時間領域における長方形窓を使用して成形し、周波数領域におけるｓｉｎｃ形状のサブキャリアをもたらすことができる。ＯＦＤＭＡは、周波数同期、およびサイクリックプレフィックスの持続時間（duration）内におけるアップリンクタイミングアライメントの厳格な管理から利益を得て、信号間の直交性を維持し、キャリア間干渉を低減させることができる。
【発明の概要】
【発明が解決しようとする課題】
【０００４】
そのような同期は、無線送受信ユニット（ＷＴＲＵ）が複数のアクセスポイントに同時に接続されるシステムにおいては、あまり適さないことがある。例えば、ＷＴＲＵの送信のための断片化されたスペクトルのアグリゲーションが存在するとき、隣接バンドに対するスペクトル放射のガイドラインに準拠するために、追加的な電力低減を、アップリンク送信に適用することができる。
【課題を解決するための手段】
【０００５】
無線通信システムは、柔軟なスペクトル使用、配備戦略、および動作を可能にすることができる。無線送受信ユニット（ＷＴＲＵ）、および／または１つもしくは複数の基地局デバイス／アクセスポイントは、柔軟な無線アクセス通信システムを実施するために、例えば、同じおよび／または異なる周波数バンド（例えば、免許要または免許不要）内の隣接しないキャリアのアグリゲーションを含む、サイズが変化するスペクトルを利用するように構成することができる。ＷＴＲＵおよび／または基地局デバイスは、柔軟な無線アクセス通信システムを実施するために、狭帯域および広帯域送信のうちの１つまたは複数（１つ以上）を利用することができる。ＷＴＲＵおよび／または基地局デバイスは、柔軟な無線アクセス通信システムを実施するために、１つまたは複数の（例えば、異なる）デュープレクス（duplex）方法を利用することができる。時分割デュープレクス（ＴＤＤ）の場合、ＷＴＲＵおよび／または基地局デバイスは、柔軟な無線アクセス通信システムを実施するために、動的に変化可能なＤＬ／ＵＬ割り当てを利用することができる。ＷＴＲＵおよび／または基地局デバイスは、柔軟な無線アクセス通信システムを実施するために、可変ＴＴＩ長を利用することができる。ＷＴＲＵおよび／または基地局デバイスは、柔軟な無線アクセス通信システムを実施するために、スケジュールされた送信およびスケジュールされない送信を利用することができる。ＷＴＲＵおよび／または基地局デバイスは、柔軟な無線アクセス通信システムを実施するために、同期送信および非同期送信を利用することができる。ユーザプレーンを、コントロールプレーンから分離することができる。ＷＴＲＵおよび／または基地局デバイスは、柔軟な無線アクセス通信システムを実施するために、マルチノード接続性を利用することができる。
【０００６】
ＷＴＲＵおよび／または基地局デバイスは、柔軟な無線アクセス通信システムを実施するために、リソース要素を利用することができる。異なるタイプのリソース要素を、定義し、決定し、および／または使用することができる。例えば、リソース要素（ＲＥ）を、定義し、決定し、および／または使用することができる。異なるタイプの送信のために、異なるタイプのＲＥを、定義し、決定し、および／または使用することができる。周波数空間および／または時間長のうちの１つまたは複数（１つ以上）に基づいて、異なるタイプのＲＥを、定義し、決定し、および／または使用することができる。リソースブロック（ＲＢ）を、定義し、決定し、および／または使用することができる。例えば、ＲＢは、１つまたは複数（１つ以上）のリソース要素を含むことができる。例えば、異なるタイプの送信のために、１つまたは複数（１つ以上）の（例えば、異なる）タイプのＲＢを、定義し、決定し、および／または使用することができる。例えば、どのタイプの１つまたは複数のＲＥがＲＢ内に含まれるかに応じて、１つまたは複数（１つ以上）のＲＢを、定義し、決定し、および／または使用することができる。決定されたＲＢタイプに関する情報は、無線送受信ユニット（ＷＴＲＵ）に送信することができる。例えば、ＷＴＲＵは、決定されたＲＢタイプに関する情報を、基地局デバイスから受信することができる。
【０００７】
ＷＴＲＵおよび／または基地局デバイスは、柔軟な無線アクセス通信システムを実施するために、柔軟な物理リソース定義情報を利用することができる。例えば、ＷＴＲＵは、柔軟な物理リソース定義情報を、基地局デバイスから受信することができる。ＷＴＲＵは、ＲＥおよび／またはＲＢ定義（例えば、柔軟な構造を有するＲＥおよび／またはＲＢ定義）を、基地局デバイスから受信することができる。ＷＴＲＵは、制御チャネルリソースユニット定義情報を受信することができる。例えば、ＷＴＲＵは、柔軟な無線アクセス通信システムを構成し、および／または実施するために、制御リソース要素（ＣＲＥ）および／または制御リソース要素グループ（ＣＲＥＧ）定義情報を受信することができる。柔軟なリソース定義（例えば、ＣＲＥ、ＣＲＥＧなど）を使用することによって、ＷＴＲＵは、例えば、異なるタイプの送信、および／または異なる目的／名称／使用事例のための送信に対して、異なるリソースタイプを動的および／または半静的に利用するように構成することができる。異なる波形タイプおよび／または異なるＲＦ処理チェーンなどを使用する、異なるタイプの送信を、リソースタイプに応じて、使用することができる。
【０００８】
ＷＴＲＵおよび／または基地局デバイスは、柔軟な無線アクセス通信システムを実施するために、制御チャネルリソース構成情報を利用することができる。例えば、ＷＴＲＵは、制御チャネルリソース構成情報を、基地局デバイスから受信することができる。制御チャネルリソース構成情報は、サービスタイプに基づくことができる。例えば、制御チャネルリソース構成情報は、階層的な制御チャネル構造、柔軟な制御リソース構成、および／または探索空間構成に基づくことができる。探索空間構成は、サービスタイプ、および／または２つ以上の探索空間が使用されるときの衝突処理に従って、提供することができる。
【０００９】
ＷＴＲＵおよび／または基地局デバイスは、柔軟な無線アクセス通信システムを構成し、および／または実施するために、制御情報を利用することができる。例えば、ＷＴＲＵは、サービスタイプに基づいて、および／またはペイロードサイズに基づいて、巡回冗長検査（ＣＲＣ）アタッチメント情報を、基地局デバイスから受信することができる。ＷＴＲＵは、例えば、（例えば、反復送信のための）開始および／または停止インジケーションを、基地局デバイスから受信することができる。
【００１０】
ＷＴＲＵおよび／または基地局デバイスは、ＷＴＲＵ報告情報を利用することができる。例えば、ＷＴＲＵおよび／または基地局デバイスは、柔軟な無線アクセス通信システムを構成し、および／または実施するために、ＷＴＲＵ報告情報を利用することができる。例えば、ＷＴＲＵおよび／または基地局デバイスは、制御チャネルのリンク適応のために、ＷＴＲＵ報告情報を利用することができる。ＷＴＲＵおよび／または基地局デバイスは、柔軟な無線アクセス通信システムを構成し、および／または実施するために、制御チャネル処理時間報告情報を利用することができる。ＷＴＲＵおよび／または基地局デバイスは、柔軟な無線アクセス通信システムを構成し、および／または実施するために、好ましい探索空間および／またはＣＣ候補報告情報を利用することができる。
【００１１】
ＷＴＲＵおよび／または基地局デバイスは、柔軟な無線アクセス通信システムを実施するために、送信方式を使用することができる。例えば、ＷＴＲＵおよび／または基地局デバイスは、ダウンリンク物理レイヤを利用することができる、ＣＰベースのＯＦＤＭ送信方式を使用することができる。ダウンリンク物理レイヤは、パイロット信号密度および／またはロケーションにおいて変更することができる。ＷＴＲＵおよび／または基地局デバイスは、マルチキャリア波形に基づくことができる、ダウンリンク送信方式を使用することができる。
【００１２】
ＷＴＲＵおよび／または基地局デバイスは、スペクトル柔軟性を使用することができる。スペクトル柔軟性は、ＷＴＲＵおよび／または基地局デバイスが、異なる特性を有する異なる周波数バンド内に配備されることを可能にすることができる。例えば、高度のスペクトル柔軟性は、異なるデュープレクス構成を有する異なる周波数バンド内における配備を可能にすることができる。ＷＴＲＵおよび／または基地局デバイスは、柔軟な無線アクセス無線通信システムにおいて、帯域幅柔軟性を達成することができる。バンドにおける動作帯域幅（例えば、与えられた最大動作帯域幅）についてのＲＦ要件は、その動作バンドについての追加の許容されたチャネル帯域幅を導入せずに、満たすことができるので、帯域幅柔軟性を達成することができる。
【００１３】
ＷＴＲＵおよび／または基地局デバイスは、柔軟な配備戦略、および／または柔軟な動作を利用することができる。柔軟な配備戦略、および／または柔軟な動作は、柔軟なスペクトル割り当てを含むことができる。柔軟な配備戦略、および／または柔軟な動作は、同じまたは異なるバンドにおける連続的および非連続的なスペクトル割り当てを含む、異なるおよび／または可変サイズの利用可能なスペクトルにおける配備を可能にすることができる。ＷＴＲＵおよび／または基地局デバイスは、狭帯域および／または広帯域をサポートすることができる。ＷＴＲＵおよび／または基地局デバイスは、１つまたは複数の（例えば、異なる）デュープレクス方法をサポートすることができる。
【００１４】
ＷＴＲＵおよび／または基地局デバイスは、ダウンリンクおよび／またはアップリンク送信を無線フレームに組織することができる。無線フレームは、１つもしくは複数（１つ以上）の固定された態様（例えば、ダウンリンク制御チャネルのロケーション）、および／または１つもしくは複数の変化する態様（例えば、送信タイミング、サポートされる送信のタイプ）によって、特徴付けることができる。基本時間間隔（ＢＴＩ）は、整数個の１つまたは複数（１つ以上）のシンボルによって表現することができる。シンボル持続時間は、時間−周波数リソースに適用可能なサブキャリア間隔の関数とすることができる。ＦＤＤの場合、サブキャリア間隔は、与えられたフレームについて、アップリンクキャリア周波数ｆＵＬと、ダウンリンクキャリア周波数ｆＤＬとの間で異なることができる。送信時間間隔（ＴＴＩ）は、送信間（例えば、連続する送信間）におけるシステムによってサポートされる最小時間とすることができる。
【００１５】
ＷＴＲＵおよび／または基地局デバイスは、ＭＡＣレイヤにおいて、スケジューリング機能をサポートすることができる。サポートすることができるスケジューリングモードは、ネットワークベースのスケジューリング、および／またはＷＴＲＵベースのスケジューリングを含むことができる。ネットワークベースのスケジューリング、および／またはＷＴＲＵベースのスケジューリングについて、スケジューリング情報は、１つまたは複数（１つ以上）のＴＴＩに対して有効とすることができる。ネットワークベースのスケジューリングは、ネットワークが、無線リソース（例えば、異なるＷＴＲＵに割り当てられた利用可能な無線リソース）を管理することを可能にすることができる。例えば、ネットワークベースのスケジューリングは、ネットワークが、異なるＷＴＲＵに割り当てられた利用可能な無線リソースを管理して、そのようなリソースの共用を最適化することを可能にすることができる。ＷＴＲＵベースのスケジューリングは、ＷＴＲＵが、必要なときに、最小待ち時間で、アップリンクリソースにアクセスする（例えば、日和見的にアクセスする）ことを可能にすることができる。ＷＴＲＵベースのスケジューリングは、ＷＴＲＵが、ネットワークによって割り当てられた共用および／または専用アップリンクリソース（例えば、動的または固定的なアップリンクリソース）のセット内のアップリンクリソースにアクセスすることを可能にすることができる。
【００１６】
ＷＴＲＵおよび／または基地局デバイスは、物理リソースグリッド内のリソースユニット（例えば、最小リソースユニット）として、リソース要素（ＲＥ）を使用することができる。１つまたは複数（１つ以上）のＲＥを、物理リソースグリッド内に定義することができる。ＲＥは、以下のうちの、すなわち、時間シンボルにおけるマルチキャリア波形のサブキャリア、時間シンボル、データシンボルを搬送するために複数の系列を使用することができる変調されたシンボルの系列、および／またはデータシンボルを搬送することができるリソースユニットのうちの１つまたは複数（１つ以上）を含むことができる。
【００１７】
ＷＴＲＵおよび／または基地局デバイスは、１つまたは複数（１つ以上）のダウンリンク制御チャネル（および／またはダウンリンク制御チャネルタイプ）を使用することができる。例えば、１つまたは複数（１つ以上）のダウンリンク制御チャネル（および／またはダウンリンク制御チャネルタイプ）は、データチャネルのためのトラフィックタイプ、制御チャネル内で搬送される情報タイプ、基準信号、ダウンリンク制御チャネル送信のために使用されるＲＢタイプ、ＳＯＭ、および／または制御チャネルを受信もしくは監視（monitor：モニタ）することができるＷＴＲＵタイプ（もしくはカテゴリ）のうちの１つまたは複数（１つ以上）に基づいて、使用することができる。ダウンリンク制御チャネルは、ダウンリンク制御チャネルタイプ、制御チャネル、および制御チャネルタイプと交換可能に使用することができる。
【００１８】
ＷＴＲＵおよび／または基地局デバイスは、ダウンリンク制御チャネルによってスケジュールされるデータチャネルのトラフィックタイプに基づいて、ダウンリンク制御チャネルを使用することができる。第１のタイプのダウンリンク制御チャネルは、第１のトラフィックタイプのために使用することができ、第２のタイプのダウンリンク制御チャネルは、第２のトラフィックタイプのために使用することができる。トラフィックタイプは、低待ち時間接続を使用することができるデータトラフィックとすることができる。トラフィックタイプは、狭帯域送信を使用することができるデータトラフィックとすることができる。トラフィックタイプは、高い信頼性を有する送信を使用することができるデータトラフィックとすることができる。トラフィックタイプは、ブロードキャストまたはマルチキャスト送信を搬送することができる制御トラフィックとすることができる。トラフィックタイプは、ＷＴＲＵ間で送信および／または受信することができる制御および／またはデータトラフィックとすることができる。
【００１９】
ＷＴＲＵおよび／または基地局デバイスは、ＷＴＲＵ能力に基づいて、ダウンリンク制御チャネルを使用することができる。第１のダウンリンク制御チャネルタイプは、限られたＷＴＲＵ能力を有するＷＴＲＵのために使用することができる。第２のダウンリンク制御チャネルタイプは、完全なＷＴＲＵ能力を有するＷＴＲＵのために使用することができる。ＷＴＲＵ能力は、サポート可能な帯域幅、受信アンテナの数、送信アンテナの数、受信機ビームフォーミング能力、および／または複数アンテナ受信機タイプを含むことができる。基準信号に基づいて、ダウンリンク制御チャネルを、定義し、決定し、および／または使用することができる。例えば、第１のダウンリンク制御チャネルは、第１のタイプの基準信号と関連付けることができ、および／または第２のダウンリンク制御チャネルは、第２のタイプの基準信号（例えば、ＷＴＲＵ固有）と関連付けることができる。
【００２０】
ＷＴＲＵおよび／または基地局デバイスは、１つまたは複数（１つ以上）のＲＥを用いて、制御リソース要素（ＣＲＥ）を定義することができる。ＣＲＥは、リソース要素グループ（ＲＥＧ）、および拡張ＲＥＧ（ＥＲＥＧ）と交換可能に使用することができる。ＣＲＥは、一定数のＲＥを用いて、定義し、および／または決定することができる。ＣＲＥのために利用可能なＲＥは、ＲＥと呼ばれることがあり、それは、制御チャネルのために使用することができる。プライオリティがより高い信号の構成を、ＷＴＲＵは知ることができる。
【００２１】
ＣＲＥは、可変数のＲＥを用いて、定義することができる。例えば、ＣＲＥ当たりのＲＥの数は、関連付けられたＣＲＥ内のＲＥについてのＲＥタイプに基づいて、決定することができる。第１のタイプのＲＥを含むことができるＣＲＥは、第１の数のＲＥを用いて、定義することができる。第２のタイプのＲＥを含むことができるＣＲＥは、第２の数のＲＥを用いて、定義することができる。ＣＲＥ当たりのＲＥの数は、ＲＢタイプに基づいて（例えば、ＣＲＥをその中に配置することができるＲＢのＲＢタイプに基づいて）、決定することができる。第１のタイプのＲＢ内のＣＲＥは、第１の数のＲＥを用いて、定義することができる。第２のタイプのＲＢ内のＣＲＥは、第２の数のＲＥを用いて、定義することができる。１つまたは複数（１つ以上）のＣＲＥは、時間サイクルのために定義することができる。ＣＲＥ当たりのＲＥの数は、ＲＢ内の利用可能なＲＥの数に基づいて、決定することができる。
【００２２】
ＷＴＲＵおよび／または基地局デバイスは、１つまたは複数（１つ以上）のＣＲＥタイプを使用することができる。ＣＲＥタイプは、制御チャネルタイプに基づいて、および／またはＲＥタイプに基づいて、決定することができる。第１の制御チャネルのためのＣＲＥタイプは、同じ時間シンボル内に配置されたＲＥを用いて、定義し、および／または構成することができる。第２の制御チャネルのためのＣＲＥタイプは、同じサブキャリア内に配置されたＲＥを用いて、定義し、および／または構成することができる。ＣＲＥタイプは、ＲＢタイプに基づいて（例えば、制御チャネルのための構成されたＲＢのＲＢタイプに基づいて）、決定することができる。１つまたは複数（１つ以上）のＲＢは、制御チャネルのために構成することができる。ＣＲＥタイプは、ＣＲＥを形成するためにグループ化することができるＲＥのＲＥタイプに基づいて、決定することができる。例えば、ＣＲＥが、定義されたＲＥタイプとすることができるＲＥを用いて、定義され、または構成される場合、ＣＲＥタイプは、ＣＲＥと関連付けられたＲＥのＲＥタイプに基づいて、決定することができる。ＣＲＥタイプは、構成、ＷＴＲＵ能力（capability）および／もしくはカテゴリ、トラフィックタイプ、波形のために使用されるＣＰ長、ならびに／またはサブフレームタイプに基づいて、決定することができる。
【００２３】
ＷＴＲＵおよび／または基地局デバイスは、制御リソース要素グループ（ＣＲＥＧ）を定義し、および／または構成することができる。例えば、制御リソース要素グループ（ＣＲＥＧ）は、１つまたは複数（１つ以上）のＣＲＥからなるグループを用いて、定義し、および／または構成することができる。ＣＲＥＧは、制御チャネル要素（ＣＣＥ）、および／または拡張ＣＣＥ（ＥＣＣＥ）と交換可能に使用することができる。同じタイプを有するＣＲＥは、ＣＲＥＧを形成するように、グループ化することができる。ＣＲＥＧタイプは、ＣＲＥタイプに基づいて、決定することができる。ＣＲＥは、ＣＲＥＧを形成するように、グループ化することができる。
【００２４】
ＷＴＲＵおよび／または基地局デバイスは、１つまたは複数（１つ以上）のＣＲＥＧタイプを定義し、および／または使用することができる。ダウンリンク制御情報（ＤＣＩ）送信、および／またはダウンリンク制御チャネルのためのＣＲＥＧタイプは、チャネルタイプ（例えば、関連付けられたチャネルタイプ）に基づいて、決定することができる。ＷＴＲＵおよび／または基地局デバイスは、ＣＲＥおよび／またはＣＲＥＧを復調するために、基準信号を使用することができる。１つまたは複数（１つ以上）の基準信号構造を、ダウンリンク制御チャネルのために使用することができる。第１の基準信号構造は、セル固有の基準信号とすることができる。セル固有の基準信号は、１つまたは複数（１つ以上）のダウンリンクチャネルのために使用することができる。第２の基準信号構造は、専用の基準信号とすることができる。専用の基準信号は、特定のダウンリンクチャネルのために使用することができる。専用の基準信号は、データチャネルのために使用することができる。専用の基準信号は、局所化されたリソースで送信することができる。専用の基準信号は、ＷＴＲＵによって割り当て、受信し、および／またはデコードすることができるリソース内に配置することができる。
【００２５】
ＷＴＲＵおよび／または基地局デバイスは、階層的なダウンリンク制御チャネル構造を使用することができる。共通ダウンリンク制御チャネル、および／または１つもしくは複数の専用ダウンリンク制御チャネルを、使用することができる。共通ダウンリンク制御チャネルは、サービスタイプ、トラフィックタイプ、送信タイプ、ＷＴＲＵカテゴリ、および／またはＷＴＲＵ能力にかかわらず、１つまたは複数（１つ以上）のＷＴＲＵに送信し、および／または１つまたは複数（１つ以上）のＷＴＲＵによって受信することができる。専用ＤＬ制御チャネルは、定義されたサービスタイプ、トラフィックタイプ、送信タイプ、ＷＴＲＵカテゴリ、および／またはＷＴＲＵ能力を用いて、ＷＴＲＵに送信し、および／またはＷＴＲＵによって受信することができる。
【００２６】
公称（nominal）システム帯域幅は、総（total）システム帯域幅のサブセットを用いて、定義することができる。公称システム帯域幅以外の周波数バンドは、公称システム帯域幅から示された、または受け取った構成に基づいて、使用することができる。共通ＤＬ制御チャネルは、公称システム帯域幅において、基地局デバイス（例えば、ｅＮＢ）から送信し、および／またはＷＴＲＵによって受信することができる。専用ＤＬ制御チャネルは、総システム帯域幅内の周波数バンドにおいて構成することができる。例えば、制御チャネルタイプのための専用ＤＬ制御チャネルは、制御チャネルタイプと関連付けられたトラフィックタイプのために使用され、および／または構成される周波数バンド内に配置することができる。トラフィックタイプのための専用ＤＬ制御チャネルは、トラフィックタイプのために割り当てられ、および／または使用される周波数バンド内に配置することができる。１つまたは複数（１つ以上）の専用ＤＬ制御チャネルは、トラフィックタイプと関連付けることができる異なる周波数バンド内に配置することができる。専用ＤＬ制御チャネルの時間／周波数ロケーションは、トラフィックタイプおよび／またはサービスタイプのために構成することができる周波数バンド内に事前定義することができる。
【００２７】
公称システム帯域幅は、サービスタイプ、トラフィックタイプ、ＷＴＲＵカテゴリ、および／またはＷＴＲＵ能力のうちの１つまたは複数（１つ以上）に基づいて、異なる周波数領域内に配置することができる。例えば、広帯域サービスのための公称システム帯域幅は、大規模ＭＴＣ（ｍＭＴＣ）サービス（例えば、ｍＭＴＣ１２１２）のための周波数領域とは異なる周波数領域内に配置することができる。ＷＴＲＵは、定義された同期信号を用いて、公称システム帯域幅を見つけることができる。同期信号タイプは、サービスタイプ、トラフィックタイプ、ＷＴＲＵカテゴリ、および／またはＷＴＲＵ能力のうちの１つまたは複数（１つ以上）に基づいて、決定することができる。
【００２８】
ＷＴＲＵおよび／または基地局デバイスは、探索空間を、使用することができる。例えば、１つまたは複数（１つ以上）の制御チャネル（ＣＣ）候補を配置することができる探索空間を、使用することができる。探索空間内のＣＣ候補の数は、１つまたは複数（１つ以上）のサービスタイプおよび／またはトラフィックタイプに基づいて、決定することができる。探索空間内のＣＣ候補の数は、ＷＴＲＵ能力（capability）および／またはカテゴリに基づいて、決定することができる。ＷＴＲＵ能力および／またはカテゴリは、サポート可能なアップリンクおよび／もしくはダウンリンク帯域幅、キャリアの数、送信および／もしくは受信アンテナの数、ならびに／または受信処理時間のうちの１つまたは複数（１つ以上）を含むことができる。探索空間内のＣＣ候補の数は、時間および／もしくは周波数リソースに基づいて、決定することができ、ならびに／または探索空間内のＣＣ候補の数は、関連付けられた基準信号タイプに基づいて、決定することができる。基準信号タイプは、ＣＲＥタイプ、ＣＲＥＧタイプ、またはＲＢタイプによって置き換えることができる。定義されたサービスタイプと関連付けられた探索空間は、より少数のＣＣ候補を含むことができる。別のサービスタイプと関連付けられた探索空間は、より多数のＣＣ候補を含むことができる。定義されたサービスタイプと関連付けられた探索空間は、同じタイプのＣＲＥおよび／またはＣＲＥＧを使用することができる、ＣＣ候補を含むことができる。
【００２９】
ＷＴＲＵおよび／または基地局デバイスは、柔軟な無線アクセス通信システムを実施するために、ダウンリンク制御情報（ＤＣＩ）を使用することができる。ＤＣＩは、ダウンリンクデータおよび／またはアップリンクデータをスケジュールするために、使用することができる。ＤＣＩは、関連付けられたデータチャネルのリソース割り当て、変調および符号化方式、開始ＢＴＩ、終了ＢＴＩ、トランスポートブロックサイズ、ＨＡＲＱプロセス番号、新規データインジケータ、キャリアインジケータ、空間レイヤの数、ならびに／またはアップリンク電力制御フィールドのうちの１つまたは複数（１つ以上）を含むことができる。
【００３０】
柔軟な無線アクセス通信システムを実施するために、１つまたは複数の（１つ以上）探索空間を、ＷＴＲＵのために構成することができる。ＷＴＲＵは、構成された探索空間についての関連付けられたチャネルステータス情報を、報告することができる。ＷＴＲＵは、（例えば、各）構成された探索空間の受信信号電力レベルを、報告することができる。ＷＴＲＵは、最も高い受信信号電力レベルを有することができる探索空間を、報告することができる。ＷＴＲＵは、探索空間内の好ましいＣＣ候補のインデックスを、報告することができる。ＷＴＲＵは、ダウンリンク制御チャネル処理時間についてのそれの能力を、報告することができる。
【００３１】
柔軟な無線アクセス通信システムを実施するためのシステム、方法、および手段を、開示することができる。柔軟な無線アクセス通信システムは、同じおよび／または異なる周波数バンド内の隣接しないキャリアのアグリゲーションを含む、サイズが変化するスペクトルを使用して、サポートすることができる。無線送受信ユニット（ＷＴＲＵ）は、共通ダウンリンク制御チャネルを介して、第１の送信を受信することができる。第１の送信は、第１の制御情報を含むことができる。第１の制御情報は、１つまたは複数（１つ以上）の専用制御チャネルのうちの第１の専用ダウンリンク制御チャネルの構成に関する情報を含むことができる。ＷＴＲＵは、専用制御チャネルのうちの第１の専用ダウンリンク制御チャネルを介して、第２の送信を受信することができる。第２の送信は、第２の制御情報を含むことができる。第２の制御情報は、第１の送信タイプの送信と関連付けることができる。専用ダウンリンク制御チャネルは、異なるタイプの送信と関連付けられた制御情報を提供するために、使用することができる。
【図面の簡単な説明】
【００３２】
【図１Ａ】１つまたは複数の開示される実施形態を実施することができる、例示的な通信システムのシステム図である。
【図１Ｂ】図１Ａに示される通信システム内で使用することができる、例示的な無線送受信ユニット（ＷＴＲＵ）のシステム図である。
【図１Ｃ】図１Ａに示される通信システム内で使用することができる、例示的な無線アクセスネットワークおよび例示的なコアネットワークのシステム図である。
【図１Ｄ】図１Ａに示される通信システム内で使用することができる、別の例示的な無線アクセスネットワークおよび別の例示的なコアネットワークのシステム図である。
【図１Ｅ】図１Ａに示される通信システム内で使用することができる、別の例示的な無線アクセスネットワークおよび別の例示的なコアネットワークのシステム図である。
【図２】無線送受信ユニット（ＷＴＲＵ）によって使用することができる、送信帯域幅の例を示す図である。
【図３】スペクトル割り当ての例を示す図である。
【図４】例示的な時分割デュープレクス（ＴＤＤ）フレーム構造におけるタイミング関係を示す図である。
【図５】例示的な周波数分割デュープレクス（ＦＤＤ）フレーム構造におけるタイミング関係を示す図である。
【図６】柔軟なシステム構成を有する物理リソース定義の例を示す図である。
【図７】サブフレーム内における複数のリソースブロック（ＲＢ）タイプの多重化の例を示す図である。
【図８】ＲＢタイプに基づいて定義または構成される制御リソース要素（ＣＲＥ）タイプの例を示す図である。
【図９】例示的な制御リソース要素グループ（ＣＲＥＧ）タイプを示す図である。
【図１０】例示的な階層的なダウンリンク制御チャネルを示す図である。
【図１１】ダウンリンク（ＤＬ）トランスポートチャネルとＤＬ制御チャネルとの間の例示的なマッピングを示す図である。
【図１２】柔軟なスペクトル割り当ての例を示す図である。
【発明を実施するための形態】
【００３３】
説明的な実施形態についての詳細な説明が、様々な図を参照して、今から行われる。この説明は、可能な実施についての詳細な例を提供するが、詳細は、例示的であることが意図されており、決して本出願の範囲を限定しないことに留意されたい。
【００３４】
図１Ａは、１つまたは複数の開示される実施形態を実施することができる、例示的な通信システム１００の図である。通信システム１００は、音声、データ、ビデオ、メッセージング、放送などのコンテンツを複数の無線ユーザに提供する、多元接続システムとすることができる。通信システム１００は、複数の無線ユーザが、無線帯域幅を含むシステムリソースの共用を通して、そのようなコンテンツにアクセスすることを可能することができる。例えば、通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、およびシングルキャリアＦＤＭＡ（ＳＣ−ＦＤＭＡ）など、１つまたは複数（１つ以上）のチャネルアクセス方法を利用することができる。
【００３５】
図１Ａに示されるように、通信システム１００は、（一般にまたは一括してＷＴＲＵ１０２と呼ばれることがある）無線送受信ユニット（ＷＴＲＵ）１０２ａ、１０２ｂ、１０２ｃ、および／または１０２ｄ、無線アクセスネットワーク（ＲＡＮ）１０３／１０４／１０５、コアネットワーク１０６／１０７／１０９、公衆交換電話網（ＰＳＴＮ）１０８、インターネット１１０、ならびに他のネットワーク１１２を含むことができるが、開示される実施形態は、任意の数のＷＴＲＵ、基地局、ネットワーク、および／またはネットワーク要素を企図していることが理解されよう。ＷＴＲＵ１０２ａ、１０２ｂ、１０２ｃ、１０２ｄの各々は、無線環境において動作および／または通信するように構成された、任意のタイプのデバイスとすることができる。例として、ＷＴＲＵ１０２ａ、１０２ｂ、１０２ｃ、１０２ｄは、無線信号を送信および／または受信するように構成することができ、ユーザ機器（ＵＥ）、移動局、固定もしくは移動加入者ユニット、ページャ、セルラ電話、パーソナルデジタルアシスタント（ＰＤＡ）、スマートフォン、ラップトップ、ネットブック、パーソナルコンピュータ、無線センサ、および家電製品などを含むことができる。
【００３６】
通信システム１００は、基地局１１４ａおよび基地局１１４ｂも含むことができる。基地局１１４ａ、１１４ｂの各々は、コアネットワーク１０６／１０７／１０９、インターネット１１０、および／またはネットワーク１１２などの１つまたは複数の（１つ以上）通信ネットワークへのアクセスを容易にするために、ＷＴＲＵ１０２ａ、１０２ｂ、１０２ｃ、１０２ｄのうちの１つまたは複数と無線でインターフェース接続するように構成された、任意のタイプのデバイスとすることができる。例として、基地局１１４ａ、１１４ｂは、基地送受信機局（ＢＴＳ）、ノードＢ、ｅノードＢ、ホームノードＢ、ホームｅノードＢ、サイトコントローラ、アクセスポイント（ＡＰ）、および無線ルータなどとすることができる。基地局１１４ａ、１１４ｂは、各々が、単一の要素として示されているが、基地局１１４ａ、１１４ｂは、任意の数の相互接続された基地局および／またはネットワーク要素を含むことができることが理解されよう。
【００３７】
基地局１１４ａは、ＲＡＮ１０３／１０４／１０５の部分とすることができ、ＲＡＮ１０３／１０４／１０５は、他の基地局、および／または基地局コントローラ（ＢＳＣ）、無線ネットワークコントローラ（ＲＮＣ）、中継ノードなどのネットワーク要素（図示されず）も含むことができる。基地局１１４ａおよび／または基地局１１４ｂは、セル（図示されず）と呼ばれることがある、特定の地理的領域内において無線信号を送信および／または受信するように構成することができる。セルは、さらにセルセクタに分割することができる。例えば、基地局１１４ａに関連付けられたセルは、３つのセクタに分割することができる。したがって、一実施形態においては、基地局１１４ａは、送受信機を３つ、例えば、セルのセクタ毎に１つずつ含むことができる。別の実施形態においては、基地局１１４ａは、多入力多出力（ＭＩＭＯ）技術を利用することができ、したがって、セルのセクタ毎に複数の送受信機を利用することができる。
【００３８】
基地局１１４ａ、１１４ｂは、エアインターフェース１１５／１１６／１１７上において、ＷＴＲＵ１０２ａ、１０２ｂ、１０２ｃ、１０２ｄのうちの１つまたは複数（１つ以上）と通信することができ、エアインターフェース１１５／１１６／１１７は、任意の適切な無線通信リンク（例えば、無線周波（ＲＦ）、マイクロ波、赤外線（ＩＲ）、紫外線（ＵＶ）、可視光など）とすることができる。エアインターフェース１１５／１１６／１１７は、任意の適切な無線アクセス技術（ＲＡＴ）を使用して確立することができる。
【００３９】
より具体的には、上で言及されたように、通信システム１００は、多元接続システムとすることができ、ＣＤＭＡ、ＴＤＭＡ、ＦＤＭＡ、ＯＦＤＭＡ、およびＳＣ−ＦＤＭＡなどの、１つまたは複数（１つ以上）のチャネルアクセス方式を利用することができる。例えば、ＲＡＮ１０３／１０４／１０５内の基地局１１４ａ、およびＷＴＲＵ１０２ａ、１０２ｂ、１０２ｃは、広帯域ＣＤＭＡ（ＷＣＤＭＡ）を使用してエアインターフェース１１５／１１６／１１７を確立することができる、ユニバーサル移動体通信システム（ＵＭＴＳ）地上無線アクセス（ＵＴＲＡ）などの無線技術を実施することができる。ＷＣＤＭＡは、高速パケットアクセス（ＨＳＰＡ）および／または進化型ＨＳＰＡ（ＨＳＰＡ＋）などの通信プロトコルを含むことができる。ＨＳＰＡは、高速ダウンリンクパケットアクセス（ＨＳＤＰＡ）および／または高速アップリンクパケットアクセス（ＨＳＵＰＡ）を含むことができる。
【００４０】
別の実施形態においては、基地局１１４ａ、およびＷＴＲＵ１０２ａ、１０２ｂ、１０２ｃは、ロングタームエボリューション（ＬＴＥ）および／またはＬＴＥアドバンスト（ＬＴＥ−Ａ）を使用してエアインターフェース１１５／１１６／１１７を確立することができる、進化型ＵＭＴＳ地上無線アクセス（Ｅ−ＵＴＲＡ）などの無線技術を実施することができる。
【００４１】
他の実施形態においては、基地局１１４ａ、およびＷＴＲＵ１０２ａ、１０２ｂ、１０２ｃは、ＩＥＥＥ８０２．１６（例えば、マイクロ波アクセス用の世界的相互運用性（ＷｉＭＡＸ））、ＣＤＭＡ２０００、ＣＤＭＡ２０００  １Ｘ、ＣＤＭＡ２０００  ＥＶ−ＤＯ、暫定標準２０００（ＩＳ−２０００）、暫定標準９５（ＩＳ−９５）、暫定標準８５６（ＩＳ−８５６）、移動体通信用グローバルシステム（ＧＳＭ）、ＧＳＭエボリューション用の高速データレート（ＥＤＧＥ）、およびＧＳＭ  ＥＤＧＥ（ＧＥＲＡＮ）などの無線技術を実施することができる。
【００４２】
図１Ａの基地局１１４ｂは、例えば、無線ルータ、ホームノードＢ、ホームｅノードＢ、またはアクセスポイントとすることができ、職場、家庭、乗物、およびキャンパスなどの局所的エリアにおける無線接続性を容易にするために、任意の適切なＲＡＴを利用することができる。一実施形態においては、基地局１１４ｂ、およびＷＴＲＵ１０２ｃ、１０２ｄは、ＩＥＥＥ８０２．１１などの無線技術を実施して、無線ローカルエリアネットワーク（ＷＬＡＮ）を確立することができる。別の実施形態においては、基地局１１４ｂ、およびＷＴＲＵ１０２ｃ、１０２ｄは、ＩＥＥＥ８０２．１５などの無線技術を実施して、無線パーソナルエリアネットワーク（ＷＰＡＮ）を確立することができる。また別の実施形態においては、基地局１１４ｂ、およびＷＴＲＵ１０２ｃ、１０２ｄは、セルラベースのＲＡＴ（例えば、ＷＣＤＭＡ、ＣＤＭＡ２０００、ＧＳＭ、ＬＴＥ、ＬＴＥ−Ａなど）を利用して、ピコセルまたはフェムトセルを確立することができる。図１Ａに示されるように、基地局１１４ｂは、インターネット１１０への直接的な接続を有することがある。したがって、基地局１１４ｂは、コアネットワーク１０６／１０７／１０９を介してインターネット１１０にアクセスする必要がないことがある。
【００４３】
ＲＡＮ１０３／１０４／１０５は、コアネットワーク１０６／１０７／１０９と通信することができ、コアネットワーク１０６／１０７／１０９は、音声、データ、アプリケーション、および／またはボイスオーバインターネットプロトコル（ＶｏＩＰ）サービスをＷＴＲＵ１０２ａ、１０２ｂ、１０２ｃ、１０２ｄのうちの１つまたは複数（１つ以上）に提供するように構成された、任意のタイプのネットワークとすることができる。例えば、コアネットワーク１０６／１０７／１０９は、呼制御、請求サービス、モバイルロケーションベースのサービス、プリペイド通話、インターネット接続性（connectivity）、ビデオ配信などを提供することができ、および／またはユーザ認証など、高レベルのセキュリティ機能を実行することができる。図１Ａには示されていないが、ＲＡＮ１０３／１０４／１０５および／またはコアネットワーク１０６／１０７／１０９は、ＲＡＮ１０３／１０４／１０５と同じＲＡＴまたは異なるＲＡＴを利用する他のＲＡＮと直接的または間接的に通信することができることが理解されよう。例えば、Ｅ−ＵＴＲＡ無線技術を利用することができるＲＡＮ１０３／１０４／１０５に接続するのに加えて、コアネットワーク１０６／１０７／１０９は、ＧＳＭ無線技術を利用する別のＲＡＮ（図示されず）とも通信することができる。
【００４４】
コアネットワーク１０６／１０７／１０９は、ＰＳＴＮ１０８、インターネット１１０、および／または他のネットワーク１１２にアクセスするための、ＷＴＲＵ１０２ａ、１０２ｂ、１０２ｃ、１０２ｄのためのゲートウェイとしての役割も果たすことができる。ＰＳＴＮ１０８は、基本電話サービス（ＰＯＴＳ）を提供する回線交換電話網を含むことができる。インターネット１１０は、ＴＣＰ／ＩＰインターネットプロトコルスイート内の伝送制御プロトコル（ＴＣＰ）、ユーザデータグラムプロトコル（ＵＤＰ）、およびインターネットプロトコル（ＩＰ）など、共通の通信プロトコルを使用する、相互接続されたコンピュータネットワークおよびデバイスからなるグローバルシステムを含むことができる。ネットワーク１１２は、他のサービスプロバイダによって所有および／または運営される有線または無線通信ネットワークを含むことができる。例えば、ネットワーク１１２は、ＲＡＮ１０３／１０４／１０５と同じＲＡＴまたは異なるＲＡＴを利用することができる１つまたは複数（１つ以上）のＲＡＮに接続された、別のコアネットワークを含むことができる。
【００４５】
通信システム１００内のＷＴＲＵ１０２ａ、１０２ｂ、１０２ｃ、１０２ｄのいくつかまたはすべては、マルチモード機能を含むことができ、例えば、ＷＴＲＵ１０２ａ、１０２ｂ、１０２ｃ、１０２ｄは、異なる無線リンク上で異なる無線ネットワークと通信するための複数の送受信機を含むことができる。例えば、図１Ａに示されるＷＴＲＵ１０２ｃは、セルラベースの無線技術を利用することができる基地局１１４ａと通信するように、またＩＥＥＥ８０２無線技術を利用することができる基地局１１４ｂと通信するように構成することができる。
【００４６】
図１Ｂは、例示的なＷＴＲＵ１０２のシステム図である。図１Ｂに示されるように、ＷＴＲＵ１０２は、プロセッサ１１８と、送受信機１２０と、送信／受信要素１２２と、スピーカ／マイクロフォン１２４と、キーパッド１２６と、ディスプレイ／タッチパッド１２８と、非リムーバブルメモリ１３０と、リムーバブルメモリ１３２と、電源１３４と、全地球測位システム（ＧＰＳ）チップセット１３６と、他の周辺機器１３８とを含むことができる。ＷＴＲＵ１０２は、実施形態との整合性を保ちながら、上記の要素の任意のサブコンビネーションを含むことができることが理解されよう。また、実施形態は、基地局１１４ａ、１１４ｂ、ならびに／または基地局１１４ａ、１１４ｂが表することができる、とりわけ、送受信機局（ＢＴＳ）、ノードＢ、サイトコントローラ、アクセスポイント（ＡＰ）、ホームノードＢ、進化型ホームノードＢ（ｅノードＢ）、ホーム進化型ノードＢ（ＨｅＮＢもしくはＨｅノードＢ）、ホーム進化型ノードＢゲートウェイ、およびプロキシノードなどの、しかし、それらに限定されないノードが、図１Ｂに示され、本明細書で説明される要素のいくつかまたはすべてを含むことができることを企図している。
【００４７】
プロセッサ１１８は、汎用プロセッサ、専用プロセッサ、従来型プロセッサ、デジタル信号プロセッサ（ＤＳＰ）、複数のマイクロプロセッサ、ＤＳＰコアと連携する１つまたは複数のマイクロプロセッサ、コントローラ、マイクロコントローラ、特定用途向け集積回路（ＡＳＩＣ）、フィールドプログラマブルゲートアレイ（ＦＰＧＡ）回路、他の任意のタイプの集積回路（ＩＣ）、および状態機械などとすることができる。プロセッサ１１８は、信号符号化、データ処理、電力制御、入力／出力処理、および／またはＷＴＲＵ１０２が無線環境で動作することを可能にする他の任意の機能性を実行することができる。プロセッサ１１８は、送受信機１２０に結合することができ、送受信機１２０は、送信／受信要素１２２に結合することができる。図１Ｂは、プロセッサ１１８と送受信機１２０を別個の構成要素として示しているが、プロセッサ１１８と送受信機１２０は、電子パッケージまたはチップ内に一緒に統合することができることが理解されよう。プロセッサ１１８などのプロセッサは、統合されたメモリを含むことができる（例えば、ＷＴＲＵ１０２は、プロセッサおよび関連するメモリを含む、チップセットを含むことができる）。メモリは、プロセッサ（例えば、プロセッサ１１８）と統合されたメモリ、または他の方法でデバイス（例えば、ＷＴＲＵ１０２）と関連付けられたメモリのこととすることができる。メモリは、非一時的とすることができる。メモリは、プロセッサによって実行することができる命令（例えば、ソフトウェアおよび／またはファームウェア命令）を含む（例えば、記憶する）ことができる。例えば、メモリは、実行されたときに、本明細書で説明される実施のうちの１つまたは複数をプロセッサに実施させることができる、命令を含むことができる。
【００４８】
送信／受信要素１２２は、エアインターフェース１１５／１１６／１１７上において、基地局（例えば、基地局１１４ａ）に信号を送信し、または基地局から信号を受信するように構成することができる。例えば、一実施形態においては、送信／受信要素１２２は、ＲＦ信号を送信および／または受信するように構成されたアンテナとすることができる。別の実施形態においては、送信／受信要素１２２は、例えば、ＩＲ、ＵＶ、または可視光信号を送信および／または受信するように構成された放射器／検出器とすることができる。また別の実施形態においては、送信／受信要素１２２は、ＲＦ信号および光信号の両方を送信および受信するように構成することができる。送信／受信要素１２２は、無線信号の任意の組み合わせを送信および／または受信するように構成することができることが理解されよう。
【００４９】
加えて、図１Ｂにおいては、送信／受信要素１２２は単一の要素として示されているが、ＷＴＲＵ１０２は、任意の数の送信／受信要素１２２を含むことができる。より具体的には、ＷＴＲＵ１０２は、ＭＩＭＯ技術を利用することができる。したがって、一実施形態においては、ＷＴＲＵ１０２は、エアインターフェース１１５／１１６／１１７上において無線信号を送信および受信するための２つ以上の送信／受信要素１２２（例えば、複数のアンテナ）を含むことができる。
【００５０】
送受信機１２０は、送信／受信要素１２２によって送信されることになる信号を変調し、送信／受信要素１２２によって受信された信号を復調するように構成することができる。上で言及されたように、ＷＴＲＵ１０２は、マルチモード機能を有することができる。したがって、送受信機１２０は、ＷＴＲＵ１０２が、例えば、ＵＴＲＡおよびＩＥＥＥ８０２．１１など、複数のＲＡＴを介して通信することを可能にするための、複数の送受信機を含むことができる。
【００５１】
ＷＴＲＵ１０２のプロセッサ１１８は、スピーカ／マイクロフォン１２４、キーパッド１２６、および／またはディスプレイ／タッチパッド１２８（例えば、液晶表示（ＬＣＤ）ディスプレイユニットもしくは有機発光ダイオード（ＯＬＥＤ）ディスプレイユニット）に結合することができ、それらからユーザ入力データを受信することができる。プロセッサ１１８は、スピーカ／マイクロフォン１２４、キーパッド１２６、および／またはディスプレイ／タッチパッド１２８にユーザデータを出力することもできる。加えて、プロセッサ１１８は、非リムーバブルメモリ１３０、リムーバブルメモリ１３２、および／またはプロセッサ１１８と統合されたメモリなど、任意のタイプの適切なメモリから情報を入手することができ、それらにデータを記憶することができる。非リムーバブルメモリ１３０は、ランダムアクセスメモリ（ＲＡＭ）、リードオンリメモリ（ＲＯＭ）、ハードディスク、または他の任意のタイプのメモリ記憶デバイスを含むことができる。リムーバブルメモリ１３２は、加入者識別モジュール（ＳＩＭ）カード、メモリスティック、およびセキュアデジタル（ＳＤ）メモリカードなどを含むことができる。他の実施形態においては、プロセッサ１１８は、サーバまたはホームコンピュータ（図示されず）上などに配置された、ＷＴＲＵ１０２上に物理的に配置されていないメモリから情報を入手することができ、それらにデータを記憶することができる。
【００５２】
プロセッサ１１８は、電源１３４から電力を受け取ることができ、ＷＴＲＵ１０２内の他の構成要素への電力の分配および／または制御を行うように構成することができる。電源１３４は、ＷＴＲＵ１０２に給電するための任意の適切なデバイスとすることができる。例えば、電源１３４は、１つまたは複数の乾電池（例えば、ニッケル−カドミウム（ＮｉＣｄ）、ニッケル−亜鉛（ＮｉＺｎ）、ニッケル水素（ＮｉＭＨ）、リチウムイオン（Ｌｉ−ｉｏｎ）など）、太陽電池、および燃料電池などを含むことができる。
【００５３】
プロセッサ１１８は、ＧＰＳチップセット１３６に結合することもでき、ＧＰＳチップセット１３６は、ＷＴＲＵ１０２の現在ロケーションに関するロケーション情報（例えば、経度および緯度）を提供するように構成することができる。ＧＰＳチップセット１３６からの情報に加えて、またはその代わりに、ＷＴＲＵ１０２は、基地局（例えば、基地局１１４ａ、１１４ｂ）からエアインターフェース１１５／１１６／１１７上においてロケーション情報を受信することができ、および／または２つ以上の近くの基地局から受信している信号のタイミングに基づいて、自らのロケーションを決定することができる。ＷＴＲＵ１０２は、実施形態との整合性を保ちながら、任意の適切なロケーション決定実施を用いて、ロケーション情報を獲得することができることが理解されよう。
【００５４】
プロセッサ１１８は、他の周辺機器１３８にさらに結合することができ、他の周辺機器１３８は、追加的な特徴、機能性、および／または有線もしくは無線接続性を提供する、１つまたは複数のソフトウェアモジュールおよび／またはハードウェアモジュールを含むことができる。例えば、周辺機器１３８は、加速度計、ｅコンパス、衛星送受信機、（写真またはビデオ用の）デジタルカメラ、ユニバーサルシリアルバス（ＵＳＢ）ポート、バイブレーションデバイス、テレビ送受信機、ハンズフリーヘッドセット、Ｂｌｕｅｔｏｏｔｈ（登録商標）モジュール、周波数変調（ＦＭ）ラジオユニット、デジタル音楽プレーヤ、メディアプレーヤ、ビデオゲームプレーヤモジュール、およびインターネットブラウザなどを含むことができる。
【００５５】
図１Ｃは、実施形態による、ＲＡＮ１０３およびコアネットワーク１０６のシステム図である。上で言及されたように、ＲＡＮ１０３は、ＵＴＲＡ無線技術を利用して、エアインターフェース１１５上においてＷＴＲＵ１０２ａ、１０２ｂ、１０２ｃと通信することができる。ＲＡＮ１０３は、コアネットワーク１０６と通信することもできる。図１Ｃに示されるように、ＲＡＮ１０３は、ノードＢ１４０ａ、１４０ｂ、１４０ｃを含むことができ、ノードＢ１４０ａ、１４０ｂ、１４０ｃは、各々が、エアインターフェース１１５上においてＷＴＲＵ１０２ａ、１０２ｂ、１０２ｃと通信するための１つまたは複数（１つ以上）の送受信機を含むことができる。ノードＢ１４０ａ、１４０ｂ、１４０ｃは、各々、ＲＡＮ１０３内の特定のセル（図示されず）に関連付けることができる。ＲＡＮ１０３は、ＲＮＣ１４２ａ、１４２ｂを含むこともできる。ＲＡＮ１０３は、実施形態との整合性を保ちながら、任意の数のノードＢおよびＲＮＣを含むことができることが理解されよう。
【００５６】
図１Ｃに示されるように、ノードＢ１４０ａ、１４０ｂは、ＲＮＣ１４２ａと通信することができる。加えて、ノードＢ１４０ｃは、ＲＮＣ１４２ｂと通信することができる。ノードＢ１４０ａ、１４０ｂ、１４０ｃは、Ｉｕｂインターフェースを介して、それぞれのＲＮＣ１４２ａ、１４２ｂと通信することができる。ＲＮＣ１４２ａ、１４２ｂは、Ｉｕｒインターフェースを介して、互いに通信することができる。ＲＮＣ１４２ａ、１４２ｂの各々は、それが接続されたそれぞれのノードＢ１４０ａ、１４０ｂ、１４０ｃを制御するように構成することができる。加えて、ＲＮＣ１４２ａ、１４２ｂの各々は、アウタループ電力制御、負荷制御、アドミッションコントロール、パケットスケジューリング、ハンドオーバ制御、マクロダイバーシティ、セキュリティ機能、およびデータ暗号化など、他の機能性を実施またはサポートするように構成することができる。
【００５７】
図１Ｃに示されるコアネットワーク１０６は、メディアゲートウェイ（ＭＧＷ）１４４、モバイル交換センタ（ＭＳＣ）１４６、サービングＧＰＲＳサポートノード（ＳＧＳＮ）１４８、および／またはゲートウェイＧＰＲＳサポートノード（ＧＧＳＮ）１５０を含むことができる。上記の要素の各々は、コアネットワーク１０６の部分として示されているが、これらの要素のうちのいずれの１つも、コアネットワークオペレータとは異なるエンティティによって所有および／または運営することができることが理解されよう。
【００５８】
ＲＡＮ１０３内のＲＮＣ１４２ａは、ＩｕＣＳインターフェースを介して、コアネットワーク１０６内のＭＳＣ１４６に接続することができる。ＭＳＣ１４６は、ＭＧＷ１４４に接続することができる。ＭＳＣ１４６およびＭＧＷ１４４は、ＰＳＴＮ１０８などの回線交換ネットワークへのアクセスをＷＴＲＵ１０２ａ、１０２ｂ、１０２ｃに提供して、ＷＴＲＵ１０２ａ、１０２ｂ、１０２ｃと従来の陸線通信デバイスとの間の通信を容易にすることができる。
【００５９】
ＲＡＮ１０３内のＲＮＣ１４２ａは、ＩｕＰＳインターフェースを介して、コアネットワーク１０６内のＳＧＳＮ１４８に接続することもできる。ＳＧＳＮ１４８は、ＧＧＳＮ１５０に接続することができる。ＳＧＳＮ１４８とＧＧＳＮ１５０は、インターネット１１０などのパケット交換ネットワークへのアクセスをＷＴＲＵ１０２ａ、１０２ｂ、１０２ｃに提供して、ＷＴＲＵ１０２ａ、１０２ｂ、１０２ｃとＩＰ対応デバイスとの間の通信を容易にすることができる。
【００６０】
上で言及されたように、コアネットワーク１０６は、ネットワーク１１２に接続することもでき、ネットワーク１１２は、他のサービスプロバイダによって所有および／または運営される他の有線または無線ネットワークを含むことができる。
【００６１】
図１Ｄは、実施形態による、ＲＡＮ１０４およびコアネットワーク１０７のシステム図である。上で言及されたように、ＲＡＮ１０４は、エアインターフェース１１６上においてＷＴＲＵ１０２ａ、１０２ｂ、１０２ｃと通信するために、Ｅ−ＵＴＲＡ無線技術を利用することができる。ＲＡＮ１０４は、コアネットワーク１０７と通信することもできる。
【００６２】
ＲＡＮ１０４は、ｅノードＢ１６０ａ、１６０ｂ、１６０ｃを含むことができるが、ＲＡＮ１０４は、実施形態との整合性を保ちながら、任意の数のｅノードＢを含むことができることが理解されよう。ｅノードＢ１６０ａ、１６０ｂ、１６０ｃは、各々が、エアインターフェース１１６上においてＷＴＲＵ１０２ａ、１０２ｂ、１０２ｃと通信するための１つまたは複数の送受信機を含むことができる。一実施形態においては、ｅノードＢ１６０ａ、１６０ｂ、１６０ｃは、ＭＩＭＯ技術を実施することができる。したがって、ｅノードＢ１６０ａは、例えば、複数のアンテナを使用して、ＷＴＲＵ１０２ａに無線信号を送信し、ＷＴＲＵ１０２ａから無線信号を受信することができる。
【００６３】
ｅノードＢ１６０ａ、１６０ｂ、１６０ｃの各々は、特定のセル（図示されず）に関連付けることができ、無線リソース管理決定、ハンドオーバ決定、ならびにアップリンクおよび／またはダウンリンクにおけるユーザのスケジューリングなどを処理するように構成することができる。図１Ｄに示されるように、ｅノードＢ１６０ａ、１６０ｂ、１６０ｃは、Ｘ２インターフェース上において互いに通信することができる。
【００６４】
図１Ｄに示されるコアネットワーク１０７は、モビリティ管理ゲートウェイ（ＭＭＥ）１６２と、サービングゲートウェイ１６４と、パケットデータネットワーク（ＰＤＮ）ゲートウェイ１６６とを含むことができる。上記の要素の各々は、コアネットワーク１０７の部分として示されているが、これらの要素のうちのいずれの１つも、コアネットワークオペレータとは異なるエンティティによって所有および／または運営することができることが理解されよう。
【００６５】
ＭＭＥ１６２は、Ｓ１インターフェースを介して、ＲＡＮ１０４内のｅノードＢ１６０ａ、１６０ｂ、１６０ｃの各々に接続することができ、制御ノードとしての役割を果たすことができる。例えば、ＭＭＥ１６２は、ＷＴＲＵ１０２ａ、１０２ｂ、１０２ｃのユーザの認証、ベアラアクティブ化／非アクティブ化、ＷＴＲＵ１０２ａ、１０２ｂ、１０２ｃの初期接続中における特定のサービングゲートウェイの選択などを担うことができる。ＭＭＥ１６２は、ＲＡＮ１０４と、ＧＳＭまたはＷＣＤＭＡなどの他の無線技術を利用する他のＲＡＮ（図示されず）との間の交換のためのコントロールプレーン機能を提供することもできる。
【００６６】
サービングゲートウェイ１６４は、Ｓ１インターフェースを介して、ＲＡＮ１０４内のｅノードＢ１６０ａ、１６０ｂ、１６０ｃの各々に接続することができる。サービングゲートウェイ１６４は、一般に、ユーザデータパケットのＷＴＲＵ１０２ａ、１０２ｂ、１０２ｃへの／からのルーティングおよび転送を行うことができる。サービングゲートウェイ１６４は、ｅノードＢ間ハンドオーバ中におけるユーザプレーンのアンカリング、ダウンリンクデータがＷＴＲＵ１０２ａ、１０２ｂ、１０２ｃに利用可能なときのページングのトリガ、ならびにＷＴＲＵ１０２ａ、１０２ｂ、１０２ｃのコンテキストの管理および記憶など、他の機能を実行することもできる。
【００６７】
サービングゲートウェイ１６４は、ＰＤＮゲートウェイ１６６に接続することもでき、ＰＤＮゲートウェイ１６６は、インターネット１１０などのパケット交換ネットワークへのアクセスをＷＴＲＵ１０２ａ、１０２ｂ、１０２ｃに提供して、ＷＴＲＵ１０２ａ、１０２ｂ、１０２ｃとＩＰ対応デバイスとの間の通信を容易にすることができる。
【００６８】
コアネットワーク１０７は、他のネットワークとの通信を容易にすることができる。例えば、コアネットワーク１０７は、ＰＳＴＮ１０８などの回線交換ネットワークへのアクセスをＷＴＲＵ１０２ａ、１０２ｂ、１０２ｃに提供して、ＷＴＲＵ１０２ａ、１０２ｂ、１０２ｃと従来の陸線通信デバイスとの間の通信を容易にすることができる。例えば、コアネットワーク１０７は、コアネットワーク１０７とＰＳＴＮ１０８との間のインターフェースとしての役割を果たすＩＰゲートウェイ（例えば、ＩＰマルチメディアサブシステム（ＩＭＳ）サーバ）を含むことができ、またはそれと通信することができる。加えて、コアネットワーク１０７は、ネットワーク１１２へのアクセスをＷＴＲＵ１０２ａ、１０２ｂ、１０２ｃに提供することができ、ネットワーク１１２は、他のサービスプロバイダによって所有および／または運営される他の有線または無線ネットワークを含むことができる。
【００６９】
図１Ｅは、実施形態による、ＲＡＮ１０５およびコアネットワーク１０９のシステム図である。ＲＡＮ１０５は、ＩＥＥＥ８０２．１６無線技術を利用して、エアインターフェース１１７上においてＷＴＲＵ１０２ａ、１０２ｂ、１０２ｃと通信する、アクセスサービスネットワーク（ＡＳＮ）とすることができる。以下でさらに説明されるように、ＷＴＲＵ１０２ａ、１０２ｂ、１０２ｃ、ＲＡＮ１０５、およびコアネットワーク１０９の異なる機能エンティティ間の通信リンクは、参照点として定義することができる。
【００７０】
図１Ｅに示されるように、ＲＡＮ１０５は、基地局１８０ａ、１８０ｂ、１８０ｃと、ＡＳＮゲートウェイ１８２とを含むことができるが、ＲＡＮ１０５は、実施形態との整合性を保ちながら、任意の数の基地局およびＡＳＮゲートウェイを含むことができることが理解されよう。基地局１８０ａ、１８０ｂ、１８０ｃは、各々、ＲＡＮ１０５内の特定のセル（図示されず）に関連付けることができ、各々が、エアインターフェース１１７上においてＷＴＲＵ１０２ａ、１０２ｂ、１０２ｃと通信するための１つまたは複数の送受信機を含むことができる。一実施形態においては、基地局１８０ａ、１８０ｂ、１８０ｃは、ＭＩＭＯ技術を実施することができる。したがって、基地局１８０ａは、例えば、複数のアンテナを使用して、ＷＴＲＵ１０２ａに無線信号を送信し、ＷＴＲＵ１０２ａから無線信号を受信することができる。基地局１８０ａ、１８０ｂ、１８０ｃは、ハンドオフトリガリング、トンネル確立、無線リソース管理、トラフィック分類、およびサービス品質（ＱｏＳ）ポリシ実施などの、モビリティ管理機能を提供することもできる。ＡＳＮゲートウェイ１８２は、トラフィック集約ポイントとしての役割を果たすことができ、ページング、加入者プロファイルのキャッシング、およびコアネットワーク１０９へのルーティングなどを担うことができる。
【００７１】
ＷＴＲＵ１０２ａ、１０２ｂ、１０２ｃとＲＡＮ１０５との間のエアインターフェース１１７は、ＩＥＥＥ８０２．１６仕様を実施する、Ｒ１参照点として定義することができる。加えて、ＷＴＲＵ１０２ａ、１０２ｂ、１０２ｃの各々は、コアネットワーク１０９との論理インターフェース（図示されず）を確立することができる。ＷＴＲＵ１０２ａ、１０２ｂ、１０２ｃとコアネットワーク１０９との間の論理インターフェースは、Ｒ２参照点として定義することができ、Ｒ２参照点は、認証、認可、ＩＰホスト構成管理、および／またはモビリティ管理のために使用することができる。
【００７２】
基地局１８０ａ、１８０ｂ、１８０ｃの各々の間の通信リンクは、Ｒ８参照点として定義することができ、Ｒ８参照点は、ＷＴＲＵハンドオーバおよび基地局間でのデータの転送を容易にするためのプロトコルを含む。基地局１８０ａ、１８０ｂ、１８０ｃとＡＳＮゲートウェイ１８２との間の通信リンクは、Ｒ６参照点として定義することができる。Ｒ６参照点は、ＷＴＲＵ１０２ａ、１０２ｂ、１０２ｃの各々に関連付けられたモビリティイベントに基づいたモビリティ管理を容易にするためのプロトコルを含むことができる。
【００７３】
図１Ｅに示されるように、ＲＡＮ１０５は、コアネットワーク１０９に接続することができる。ＲＡＮ１０５とコアネットワーク１０９との間の通信リンクは、Ｒ３参照点として定義することができ、Ｒ３参照点は、例えば、データ転送およびモビリティ管理機能を容易にするためのプロトコルを含む。コアネットワーク１０９は、モバイルＩＰホームエージェント（ＭＩＰ−ＨＡ）１８４と、認証認可課金（ＡＡＡ）サーバ１８６と、ゲートウェイ１８８とを含むことができる。上記の要素の各々は、コアネットワーク１０９の部分として示されているが、これらの要素のうちのいずれの１つも、コアネットワークオペレータとは異なるエンティティによって所有および／または運営することができることが理解されよう。
【００７４】
ＭＩＰ−ＨＡは、ＩＰアドレス管理を担うことができ、ＷＴＲＵ１０２ａ、１０２ｂ、１０２ｃが、異なるＡＳＮおよび／または異なるコアネットワークの間でローミングを行うことを可能にすることができる。ＭＩＰ−ＨＡ１８４は、インターネット１１０などのパケット交換ネットワークへのアクセスをＷＴＲＵ１０２ａ、１０２ｂ、１０２ｃに提供して、ＷＴＲＵ１０２ａ、１０２ｂ、１０２ｃとＩＰ対応デバイスとの間の通信を容易にすることができる。ＡＡＡサーバ１８６は、ユーザ認証、およびユーザサービスのサポートを担うことができる。ゲートウェイ１８８は、他のネットワークとの網間接続を容易にすることができる。例えば、ゲートウェイ１８８は、ＰＳＴＮ１０８などの回線交換ネットワークへのアクセスをＷＴＲＵ１０２ａ、１０２ｂ、１０２ｃに提供して、ＷＴＲＵ１０２ａ、１０２ｂ、１０２ｃと従来の陸線通信デバイスとの間の通信を容易にすることができる。加えて、ゲートウェイ１８８は、ネットワーク１１２へのアクセスをＷＴＲＵ１０２ａ、１０２ｂ、１０２ｃに提供することができ、ネットワーク１１２は、他のサービスプロバイダによって所有および／または運営される他の有線または無線ネットワークを含むことができる。
【００７５】
図１Ｅには示されていないが、ＲＡＮ１０５は、他のＡＳＮに接続することができ、コアネットワーク１０９は、他のコアネットワークに接続することができることが理解されよう。ＲＡＮ１０５と他のＡＳＮとの間の通信リンクは、Ｒ４参照点として定義することができ、Ｒ４参照点は、ＲＡＮ１０５と他のＡＳＮとの間でＷＴＲＵ１０２ａ、１０２ｂ、１０２ｃのモビリティを調整するためのプロトコルを含むことができる。コアネットワーク１０９と他のコアネットワークとの間の通信リンクは、Ｒ５参照点として定義することができ、Ｒ５参照は、ホームコアネットワークと在圏コアネットワークとの間の網間接続を容易にするためのプロトコルを含むことができる。
【００７６】
（例えば、５Ｇシステムなど）新たに出現する次世代無線通信システムの場合、エアインターフェース（例えば、ＷＴＲＵと１つもしくは複数の基地局および／または１つもしくは複数の他のＷＴＲＵとの間の無線インターフェース）は、改善された広帯域（ＩＢＢ）性能を可能にし、産業用制御および通信（ＩＣＣ）アプリケーションをサポートし、乗物用アプリケーション（Ｖ２Ｘ）をサポートし、ならびに／または大規模マシンタイプコミュニケーション（ｍＭＴＣ）をサポートすることを試みるように設計することができる。これらの多様なアプリケーションタイプをサポートするために、ネットワーク内の異なるデバイス間の送信のための柔軟な無線通信アーキテクチャを、使用することができる。
【００７７】
柔軟な動作をサポートするために、周波数領域波形のベースバンドフィルタリングを、ＷＴＲＵおよび／または基地局デバイスによって利用することができる。周波数領域波形のベースバンドフィルタリングは、与えられたＲＦ送受信機パス内におけるスペクトルのアグリゲーションを可能にすることができる。例えば、周波数領域波形のベースバンドフィルタリングは、与えられたＲＦ送受信機パス内における、最大で１５０〜２００ＭＨｚの合計スペクトルの効果的なアグリゲーションを可能にすることができる。動作バンドにまたがる（例えば、９００ＭＨｚおよび／または３．５ＧＨｚなど、広く分離された動作バンドにまたがる）スペクトルのアグリゲーションは、複数のＲＦ送受信機チェーンを使用することができる。例えば、広く分離された動作バンドにまたがるスペクトルのアグリゲーションは、アンテナサイズ制約、および／または増幅器最適化設計制約のため、複数のＲＦ送受信機チェーンを使用することができる。ＷＴＲＵ実施は、１つまたは複数（例えば、３つ）のＲＦ送受信機パスを含むことができる。例えば、ＷＴＲＵ実施は、第１の周波数領域のためのＲＦ送受信機パス（例えば、１ＧＨｚを下回るＲＦ送受信機パス）、第２の周波数領域のためのＲＦ送受信機パス（例えば、１．８〜３．５ＧＨｚ周波数範囲のためのＲＦ送受信機パス）、および第３の周波数領域のためのＲＦ送受信機パス（例えば、４〜６ＧＨｚ周波数範囲のためのＲＦ送受信機パス）を含むことができる。柔軟な動作をサポートするために、大規模ＭＩＭＯアンテナ構成を、ＷＴＲＵおよび／または基地局デバイスによって利用することができる。大規模ＭＩＭＯアンテナ構成は、ネイティブにサポートすることができる。１つまたは複数のサイズ（例えば、変化するサイズ）のスペクトルを用いる複数の周波数バンドを、アグリゲートすることができる。例えば、基地局デバイスは、１つまたは複数のサイズ（例えば、変化するサイズ）のスペクトルを用いる複数の周波数バンドをアグリゲートすることができる。基地局デバイスは、１つまたは複数のサイズのスペクトルを用いる複数の周波数バンドをアグリゲートして、セルエッジにおける数十Ｍｂｐｓのオーダのデータレートから、数Ｇｂｐｓのピークデータレートまでを達成することができる。典型的なデータレートは、数百Ｍｂｐｓのオーダとすることができる。
【００７８】
１つまたは複数（１つ以上）のタイプの送信について、ＷＴＲＵおよび／または基地局デバイスは、柔軟な無線アクセス通信システムを実施するために、超低送信待ち時間を利用することができる。例えば、柔軟な無線アクセス通信システムを実施するために、（例えば、１ｍｓラウンドトリップ時間（ＲＴＴ）ほどの低さの）エアインターフェース待ち時間を、ＷＴＲＵおよび／または基地局デバイスによって利用することができる。（例えば、１ｍｓラウンドトリップ時間（ＲＴＴ）ほどの低さの）エアインターフェース待ち時間は、１００〜２５０μｓの範囲内のＴＴＩによってサポートすることができる。柔軟な無線アクセス通信システムを実施するために、超低アクセス待ち時間（例えば、初期システムアクセスから、最初のユーザデータプレーンユニットの送信の完了までの時間）を、ＷＴＲＵおよび／または基地局デバイスによって利用することができる。０〜５００ｋｍ／ｈの範囲内のスピードについてのモビリティを、ＷＴＲＵおよび／または基地局デバイスによって利用することができる。ＩＣおよび／またはＶ２Ｘは、１０ｅ-6未満のパケットロスレートをサポートすることができる。
【００７９】
ＷＴＲＵおよび／または基地局デバイスは、柔軟な無線アクセス通信システムを実施するために、（狭帯域動作などの）マシンタイプコミュニケーション（ＭＴＣ）動作を利用することができる。ＷＴＲＵおよび／または基地局デバイスは、（例えば、２００ＫＨｚ未満を使用する）狭帯域動作、延長されたバッテリ寿命（例えば、最大１５年の自立性）、ならびに／または少量および／もしくは低頻度のデータ送信に対する最小の通信オーバヘッドをサポートすることができる、エアインターフェースを利用することができる。例えば、ＷＴＲＵおよび／または基地局デバイスは、数秒から数時間のアクセス待ち時間を有する、１〜１００ｋｂｐｓの範囲内の低データレートをサポートすることができる、エアインターフェースを利用することができる。
【００８０】
ＷＴＲＵおよび／または基地局デバイスは、狭帯域動作を利用して、大規模ＭＴＣ（ｍＭＴＣ）動作をサポートすることができる。リンクバジェットは、ＬＴＥ拡張カバレージのそれに匹敵することができ、および／またはリンクバジェットは、ＭＴＣデバイス（例えば、最大で２００ｋ／ｋｍ2など、多数のＭＴＣデバイス）をサポートすることができる。リンクバジェットは、ＬＴＥ拡張カバレージのそれに匹敵することができ、および／または１つもしくは複数のサポートされるサービス（例えば、１つもしくは複数の他のサポートされるサービス）についてのスペクトル効率に悪影響を与えずに、多数のＭＴＣデバイスをサポートすることができる。
【００８１】
ＷＴＲＵおよび／または基地局デバイスは、柔軟なスペクトル使用、柔軟な配備戦略、および／または柔軟な動作を可能にすることができる、柔軟な無線アクセス無線通信システムを利用することができる。ＷＴＲＵおよび／または基地局デバイスは、柔軟な動作を利用して、サイズが変化するスペクトルの使用をサポートすることができる。例えば、ＷＴＲＵおよび／または基地局デバイスは、同じおよび／または異なる周波数バンド（例えば、免許要または免許不要）内の隣接しないキャリアのアグリゲーションを含む、サイズが変化するスペクトルの使用をサポートすることができる、柔軟な動作を利用することができる。ＷＴＲＵおよび／または基地局デバイスは、柔軟な無線アクセス通信システムを実施するために、狭帯域および／または広帯域を利用することができる。ＷＴＲＵおよび／または基地局デバイスは、１つまたは複数の（例えば、異なる）デュープレクス方法を利用することができる。時分割デュープレクス（ＴＤＤ）の場合、ＷＴＲＵおよび／または基地局デバイスは、動的に変化可能なＤＬ／ＵＬ割り当てを利用することができる。ＷＴＲＵおよび／または基地局デバイスは、可変ＴＴＩ長を利用することができる。ＷＴＲＵおよび／または基地局デバイスは、スケジュールされた送信およびスケジュールされない送信を利用することができる。ＷＴＲＵおよび／または基地局デバイスは、同期送信および／または非同期送信を利用することができる。ユーザプレーンを、コントロールプレーンから分離することができる。ＷＴＲＵおよび／または基地局デバイスは、マルチノード接続性を利用することができる。
【００８２】
本明細書で説明される無線通信システム（例えば、柔軟な無線アクセス通信システム）は、レガシインターフェース（またはそれの進化型）と統合することができ、および／またはそれとともに動作することができる。例えば、本明細書で説明される無線通信システムは、少なくとも、レガシコアネットワーク（ＣＮ）向けのレガシインターフェース（例えば、Ｓ１インターフェース、ＮＡＳ）、およびｅＮＢ向けのレガシインターフェース（例えば、ＬＴＥとのデュアル接続性を含むＸ２インターフェース）と統合することができ、および／またはそれとともに動作することができる。本明細書で説明される無線通信システムは、レガシ態様を可能にすることができる。例えば、本明細書で説明される無線通信システムは、既存のサービス品質（ＱｏＳ）および／またはセキュリティメカニズムに対するサポートを可能にすることができる。ＷＴＲＵおよび／または基地局デバイスは、Ｄ２Ｄ／サイドリンク動作を利用することができる。ＷＴＲＵおよび／または基地局デバイスは、柔軟な無線アクセス通信システムを実施するために、ＬＢＴを使用するライセンストアシステッドアクセス（ＬＡＡ）を利用することができる。ＷＴＲＵおよび／または基地局デバイスは、中継を利用することができる。
【００８３】
ＷＴＲＵおよび／または基地局デバイスは、直交周波数分割多重（ＯＦＤＭ）を利用することができる。ＯＦＤＭは、ロングタームエボリューション（ＬＴＥ）および／またはＩＥＥＥ８０２．１１通信システムにおいて、データ送信のために使用される、信号フォーマットとすることができる。ＷＴＲＵおよび／または基地局デバイスは、ＯＦＤＭを利用して、スペクトルを複数の並列する直交サブバンドに分割することができる。ＷＴＲＵおよび／または基地局デバイスは、時間領域における長方形窓を使用して、サブキャリアを成形し、周波数領域におけるｓｉｎｃ形状のサブキャリアをもたらすことができる。直交周波数分割多元接続（ＯＦＤＭＡ）は、周波数同期、および／またはサイクリックプレフィックスの持続時間内におけるアップリンクタイミングアライメントの厳格な管理から利益を得ることができる。例えば、ＯＦＤＭＡは、周波数同期、および／またはサイクリックプレフィックスの持続時間内におけるアップリンクタイミングアライメントの厳格な管理から利益を得て、信号間の直交性を維持し、および／またはキャリア間干渉を低減させることができる。そのような同期は、無線送受信ユニット（ＷＴＲＵ）が複数のアクセスポイントに同時に接続されるシステムにおいては、あまり適さないことがある。電力低減（例えば、追加的な電力低減）を、アップリンク送信に適用することができる。（例えば、ＷＴＲＵの送信のための断片化されたスペクトルのアグリゲーションが存在するとき）隣接バンドに対するスペクトル放射のガイドラインに準拠するために、例えば、追加的な電力低減を、アップリンク送信に適用することができる。
【００８４】
ＯＦＤＭ（例えば、ＣＰ−ＯＦＤＭ）の実施についてのより厳格なＲＦガイドラインは、ＯＦＤＭ（例えば、ＣＰ−ＯＦＤＭ）の短所のいくつかに対処することができる。例えば、アグリゲーションを要求することができない大量の連続スペクトルを使用して動作するとき、ＯＦＤＭ（例えば、ＣＰ−ＯＦＤＭ）の短所のいくつかには、実施についてのより厳格なＲＦガイドラインによって対処することができる。ＣＰベースのＯＦＤＭ送信方式は、パイロット信号密度および／またはロケーションにおいて変更することができる、ダウンリンク物理レイヤを利用することができる。
【００８５】
ＷＴＲＵおよび／または基地局デバイスは、柔軟な無線アクセス通信システムを実施するために、ダウンリンク送信方式（例えば、マルチキャリア波形に基づくことができる方式）を利用することができる。マルチキャリア波形は、高いスペクトル抑制（例えば、より低いサイドローブ、および／またはより低い帯域外（ＯＯＢ）発射）によって特徴付けることができる。波形候補は、ＯＦＤＭ−ＯＱＡＭおよび／またはＵＦＭＣ（ＵＦ−ＯＦＤＭ）を含むことができる。
【００８６】
ＷＴＲＵおよび／または基地局デバイスは、柔軟な無線アクセス通信システムを実施するために、マルチキャリア変調波形を利用することができる。マルチキャリア変調波形は、チャネルをサブチャネルに分割することができる。マルチキャリア変調波形は、サブチャネル内のサブキャリア上のデータシンボルを変調することができる。
【００８７】
ＷＴＲＵおよび／または基地局デバイスは、時間領域において、サブキャリアごとに、ＯＦＤＭ信号にフィルタを適用することができる。ＯＯＢを低減させるために、時間領域において、サブキャリアごとに、ＯＦＤＭ信号にフィルタを適用することができる。例えば、ＯＦＤＭ−ＯＱＡＭを用いる場合、ＯＯＢを低減させるために、時間領域において、サブキャリアごとに、ＯＦＤＭ信号にフィルタを適用することができる。ＯＦＤＭ−ＯＱＡＭは、隣接バンドに対する低い干渉を引き起こすことができ、大きいガードバンドを必要としなくてよく、および／またはサイクリックプレフィックスを必要としなくてよい。ＯＦＤＭ−ＯＱＡＭは、人気のあるＦＢＭＣ技法であることができる。
【００８８】
ＷＴＲＵおよび／または基地局デバイスは、ＯＯＢ発射を低減させるために、時間領域において、ＯＦＤＭ信号にフィルタを適用することができる。例えば、ＵＦＭＣ（ＵＦ−ＯＦＤＭ）を用いる場合、ＷＴＲＵおよび／または基地局デバイスは、ＯＯＢ発射を低減させるために、時間領域において、ＯＦＤＭ信号にフィルタを適用することができる。サブバンドごとに、フィルタリングを適用することができる。例えば、スペクトル断片を使用するために、サブバンドごとに、フィルタリングを適用することができる。複雑さを低減させることができる。ＵＦ−ＯＦＤＭは、実施するのに実用的であることができる。ＵＦ−ＯＦＤＭは、ＯＦＤＭよりも良くなることができる。例えば、ＵＦ−ＯＦＤＭは、フィルタリングされたスペクトルのエッジにおいて、ＯＦＤＭよりも良くなることができる。
【００８９】
本明細書において開示される方法は、ＯＦＤＭ−ＯＱＡＭおよび／またはＵＦＭＣ（ＵＦ−ＯＦＤＭ）波形に関して、説明することができるが、本明細書において説明される方法は、柔軟な無線アクセス無線通信システムにおいて、他のタイプの波形にも適用することができる。例えば、開示される主題は、説明の目的で、限定することなく、ＯＦＤＭ−ＯＱＡＭおよび／またはＵＦＭＣ（ＵＦ−ＯＦＤＭ）波形に関連して、開示することができる。
【００９０】
ＷＴＲＵおよび／または基地局デバイスは、複数の波形および／または異なるタイプの波形を利用することができる。複数の波形および／または異なるタイプの波形を利用することによって、ＷＴＲＵおよび／または基地局デバイスは、非直交特性を有する信号の周波数において、多重化を実行することができることがある。非直交特性は、複雑な干渉除去受信機を使用せずに、異なるサブキャリア間隔、および／または非同期信号の共存を含むことができる。ＲＦ処理の部分であるようなアグリゲーションに対するより低コストの代替として、ベースバンド処理におけるスペクトルの断片化されたピースのアグリゲーションを、容易にすることができる。
【００９１】
ＷＴＲＵおよび／または基地局デバイスは、柔軟な無線アクセス通信システムを実施するために、１つまたは複数（１つ以上）のバンド内に共存することができる異なる波形を利用することができる。異なる波形は、同じバンド内に共存することができる。ＷＴＲＵおよび／または基地局デバイスは、（例えば、ＳＣＭＡを使用して）ｍＭＴＣ狭帯域を利用することができる。ＷＴＲＵおよび／または基地局デバイスは、ダウンリンク送信のために、および／またはアップリンク送信のために、１つまたは複数（例えば、すべて）の態様について、同じバンド内において、異なる波形（例えば、ＣＰ−ＯＦＤＭ、ＯＦＤＭ−ＯＱＡＭ、および／またはＵＦ−ＯＦＤＭ）を合成することができる。
【００９２】
ＷＴＲＵおよび／または基地局デバイスは、波形を使用することができる、アップリンク送信方式を利用することができる。例えば、ＷＴＲＵおよび／または基地局デバイスは、ダウンリンク送信のために使用されるのと同じまたは異なる波形を使用することができる、アップリンク送信方式を利用することができる。同じセル内のＷＴＲＵへの送信および／またはＷＴＲＵからの送信の多重化は、ＦＤＭＡおよび／またはＴＤＭＡに基づくことができる。
【００９３】
ＷＴＲＵおよび／または基地局デバイスは、スペクトル柔軟性（例えば、高度のスペクトル柔軟性）を利用することができる。スペクトル柔軟性（例えば、高度のスペクトル柔軟性）は、異なる特性を有する異なる周波数バンドにおける配備を可能にすることができる。例えば、スペクトル柔軟性（例えば、高度のスペクトル柔軟性）は、異なるデュープレクス構成を有する異なる周波数バンド内における配備を可能にすることができる。スペクトル柔軟性（例えば、高度のスペクトル柔軟性）は、同じまたは異なるバンド内における連続的および非連続的なスペクトル割り当てを含む、異なるおよび／または可変サイズの利用可能なスペクトルにおける配備を可能にすることができる。ＷＴＲＵおよび／または基地局デバイスは、可変タイミング態様を利用することができる。例えば、ＷＴＲＵおよび／または基地局デバイスは、複数のＴＴＩ長および／または非同期送信のために、可変タイミング態様を利用することができる。
【００９４】
ＷＴＲＵおよび／または基地局デバイスは、ＴＤＤおよび／またはＦＤＤデュープレクス方式を利用することができる。ＦＤＤ動作の場合、ＷＴＲＵおよび／または基地局デバイスは、スペクトルアグリゲーションを使用する補助的なダウンリンク動作を利用することができる。ＦＤＤ動作は、全二重ＦＤＤおよび／または半二重ＦＤＤ動作をサポートすることができる。ＴＤＤ動作の場合、ＤＬ／ＵＬ割り当ては、動的とすることができる。例えば、ＴＤＤ動作の場合、ダウンリンク（ＤＬ）および／またはアップリンク（ＵＬ）送信間隔の長さを、固定されたＤＬ／ＵＬフレーム構成に対してではなく、送信機会ごとに設定することができる。
【００９５】
ＷＴＲＵおよび／または基地局デバイスは、アップリンクおよびダウンリンク上において、異なる送信帯域幅を利用することができる。例えば、図２は、柔軟な無線アクセス無線通信システムをサポートするための例示的なスペクトル配備を示している。図２に示されるように、送信帯域幅は、公称システム帯域幅２０２（例えば、５ＭＨｚ）から、最大値までの範囲にわたることができる。最大値は、システム帯域幅２０４（例えば、２０ＭＨｚ）に対応することができる。シングルキャリア動作の場合、例示的なサポートされるシステム帯域幅は、５ＭＨｚ、１０ＭＨｚ、２０ＭＨｚ、４０ＭＨｚ、および／または８０ＭＨｚを含むことができる。ＷＴＲＵおよび／または基地局デバイスは、ＭＴＣデバイスのための動作帯域幅内において、（例えば、最大で２００ＫＨｚの）狭帯域送信を利用することができる。
【００９６】
ＷＴＲＵおよび／または基地局デバイスは、柔軟な無線アクセス通信システムを実施するために、システム帯域幅を利用することができる。システム帯域幅とは、与えられたキャリアのためにネットワークによって管理することができる、スペクトルの最大部分のこととすることができる。キャリアについて、セル獲得、測定、および／またはネットワークへの初期アクセスのために、ＷＴＲＵがサポートする（例えば、最小限にサポートする）部分は、公称システム帯域幅に対応することができる。ＷＴＲＵは、システム帯域幅（例えば、システム帯域幅全体）の範囲内にあることができるチャネル帯域幅を用いるように、構成することができる。ＷＴＲＵの構成されたチャネル帯域幅は、図２に示されるように、システム帯域幅の公称部分を含むことができる。例えば、ＷＴＲＵの構成されたチャネル帯域幅は、ＵＥｘチャネル帯域幅２０６（例えば、１０ＭＨｚ）、ＵＥｙチャネル帯域幅２０８（例えば、２０ＭＨｚ）、および／またはＵＥｚチャネル帯域幅２１０（５ＭＨｚ）を含むことができる。
【００９７】
柔軟な無線アクセス無線通信システム内のＷＴＲＵおよび／または基地局デバイスは、柔軟および／または動的な方法で帯域幅を利用するように構成することができる。例えば、バンドにおける動作帯域幅（例えば、与えられた最大動作帯域幅）についてのＲＦ要件は、その動作バンドについての追加の許容されたチャネル帯域幅を導入せずに、満たすことができるので、ＷＴＲＵおよび／または基地局デバイスは、帯域幅柔軟性を達成することができる。周波数領域波形のベースバンドフィルタリングの効率的なサポートのため、バンドにおける与えられた最大動作帯域幅についてのＲＦ要件は、その動作バンドについての追加の許容されたチャネル帯域幅を導入せずに、満たすことができる。
【００９８】
柔軟な無線アクセス無線通信システム内のＷＴＲＵおよび／または基地局デバイスは、物理レイヤを利用することができる。物理レイヤは、バンド非依存であることができ、および／または免許要バンドにおける動作をサポートすることができる。例えば、物理レイヤは、バンドに依存しないことができ、ならびに／または５ＧＨｚを下回る免許要バンドにおける動作、および／もしくは５〜６ＧＨｚの範囲内の免許不要バンドにおける動作をサポートすることができる。免許不要バンドにおける動作について、ＷＴＲＵおよび／または基地局デバイスは、（例えば、ＬＴＥ  ＬＡＡに類似した）ＬＢＴ  Ｃａｔ  ４ベースのチャネルアクセスフレームワークを利用することができる。
【００９９】
柔軟な無線アクセス無線通信システム内のＷＴＲＵおよび／または基地局デバイスは、周波数分割多重（ＦＤＭ）動作を利用することができる。ダウンリンク制御チャネルおよび／または信号は、周波数分割多重（ＦＤＭ）動作をサポートすることができる。例えば、ＷＴＲＵは、システム帯域幅の公称部分を使用して、送信を受信することによって、ダウンリンクキャリアを獲得することができる。ＷＴＲＵは、関連するキャリア（concerned carrier）のためにネットワークによって管理されている帯域幅全体にわたって送信を受信することを要求されなくて（例えば、受信することを最初に要求されなくて）よい。
【０１００】
柔軟な無線アクセス無線通信システム内のＷＴＲＵおよび／または基地局デバイスは、ダウンリンクデータチャネルを利用することができる。ダウンリンクデータチャネルは、公称システム帯域幅に対応することができる帯域幅上に割り当てることができる。例えば、ダウンリンクデータチャネルは、ＷＴＲＵの構成されたチャネル帯域幅内にあること以外の制限なしに、公称システム帯域幅に対応することができる帯域幅上に割り当てることができる。ネットワークは、公称帯域幅（例えば、５ＭＨｚ公称帯域幅）を使用して、システム帯域幅（例えば、１２ＭＨｚシステム帯域幅）を有するキャリアを動作させることができる。５ＭＨｚ公称帯域幅を使用して、１２ＭＨｚシステム帯域幅を有するキャリアを動作させることは、最大で２０ＭＨｚ相当のチャネル帯域幅をサポートする他のＷＴＲＵに、キャリア周波数の＋１０から−１０ＭＨｚを割り当てる一方、たかだか５ＭＨｚの最大ＲＦ帯域幅をサポートするデバイスが、システムを獲得し、および／またはシステムにアクセスすることを可能にすることができる。
【０１０１】
図３は、スペクトル割り当ての例を示している。例えば、図３は、公称システム帯域幅３０２（例えば、５ＭＨｚ）、および／またはシステム帯域幅３０４（例えば、２０ＭＨｚ）上における、ＷＴＲＵおよび／または基地局デバイスによって利用される、スペクトル割り当ての例を示している。動作の１つまたは複数（１つ以上）のモード（例えば、ＳＯＭ）には、１つまたは複数のサブキャリアを概念的に割り当てることができる。例えば、動作の１つまたは複数のモード（例えば、スペクトル動作モード（ＳＯＭ））には、サブキャリア３０６および／またはサブキャリア３０８を概念的に割り当てることができる。
【０１０２】
１つまたは複数の送信についての１つまたは複数（１つ以上）の要件を満たすように、１つまたは複数（１つ以上）のスペクトル動作モード（ＳＯＭ）を使用することができる。例えば、ＳＯＭとは、送信方式の特定のタイプ、および／またはあるタイプの通信（例えば、低待ち時間通信、高信頼性通信など）を実行するために使用される送信方式のこととすることができる。ＳＯＭは、サブキャリア間隔、送信時間間隔（ＴＴＩ）長、および／または１つもしくは複数の信頼性態様（例えば、ＨＡＲＱ処理態様）のうちの１つまたは複数（１つ以上）に従って、定義することができる。ＳＯＭは、セカンダリ制御チャネルを含むことができる。ＳＯＭは、特定の波形を参照するために使用することができ、ならびに／または（例えば、ＦＤＭおよび／もしくはＴＤＭを使用した同じキャリア内における異なる波形の共存をサポートする）処理態様に関連することができる。ＴＤＤバンド内におけるＦＤＤ動作の共存が（例えば、ＴＤＭ方式または類似方式で）サポートされる場合、ＳＯＭを使用することができる。第１のタイプのＳＯＭは、第１のネットワークスライスにアクセスするために使用することができ、第２のタイプのＳＯＭは、第２のネットワークスライスにアクセスするために使用することができる。複数のＳＯＭを、同時に使用することができる。
【０１０３】
シングルキャリア動作の場合、ＷＴＲＵおよび／または基地局デバイスは、柔軟な無線アクセス通信システムを実施するために、スペクトルアグリゲーションを利用することができる。ＷＴＲＵおよび／または基地局デバイスは、動作バンド（例えば、同じ動作バンド）内の物理リソースブロック（ＰＲＢ）の連続的または非連続的なセット上における、１つまたは複数（１つ以上）のトランスポートブロックの送信および／または受信をサポートすることができる。トランスポートブロックは、ＰＲＢの１つまたは複数（１つ以上）のセット（例えば、別個のセット）にマッピングすることができる。
【０１０４】
ＷＴＲＵおよび／または基地局デバイスは、マルチキャリア動作を利用することができる。例えば、ＷＴＲＵおよび／または基地局デバイスは、動作バンド（例えば、同じ動作バンド）内の、および／または２つ以上の動作バンドにまたがる連続的または非連続的なスペクトルブロックを使用する、マルチキャリア動作を利用することができる。ＷＴＲＵおよび／または基地局デバイスは、モード（例えば、ＦＤＤおよびＴＤＤなどの異なるモード）を使用する、ならびに６ＧＨｚを下回るチャネルアクセス方法（例えば、免許要および／または免許不要バンド動作などの異なるチャネルアクセス方法）を使用する、スペクトルブロックのアグリゲーションを利用することができる。
【０１０５】
ＷＴＲＵおよび／または基地局デバイスは、スペクトルアグリゲーションについての高い柔軟性を利用することができる。スペクトルアグリゲーションについての高い柔軟性は、追加チャネルおよび／またはバンド組み合わせの使用を含まないことがある。例えば、スペクトルアグリゲーションについての高い柔軟性は、周波数領域における効率的なベースバンドフィルタリングの使用を前提として、追加チャネルおよび／またはバンド組み合わせの使用を含まないことがある。
【０１０６】
ＷＴＲＵおよび／または基地局デバイスは、ダウンリンクおよび／またはアップリンク送信を無線フレームに組織することができる。無線フレームは、１つもしくは複数の固定された態様（例えば、ダウンリンク制御情報のロケーション）、および／または１つもしくは複数の変化する態様（例えば、送信タイミング、サポートされる送信のタイプ）によって特徴付けることができる。
【０１０７】
ＷＴＲＵおよび／または基地局デバイスは、基本時間間隔（ＢＴＩ）を利用することができる。ＢＴＩは、ＳＯＭまたは送信方式を定義または利用するための時間単位として定義することができる。例えば、ＢＴＩは、ＯＦＤＭシンボル長などのシンボル長に対応することができる。ＢＴＩは、整数個の１つまたは複数（１つ以上）のシンボルによって表現することができる。シンボル持続時間は、時間−周波数リソースに適用可能なサブキャリア間隔の関数とすることができる。ＦＤＤの場合、サブキャリア間隔は、与えられたフレームについて、アップリンクキャリア周波数ｆULと、ダウンリンクキャリア周波数ｆDLとの間で異なることができる。
【０１０８】
ＷＴＲＵおよび／または基地局デバイスは、送信時間間隔（ＴＴＩ）を利用することができる。ＴＴＩは、最小送信時間、および／または送信（例えば、連続する送信）間におけるシステムによってサポートされる最小時間とすることができる。送信の１つまたは複数（例えば、各々）は、プリアンブルを除く（適用可能な場合）、ならびに／または制御情報（例えば、ダウンリンクのためのＤＣＩ、および／もしくはアップリンクのためのＵＣＩ）を含む、ダウンリンク（ＴＴＩDL）および／またはアップリンク（ＵＬ  ＴＲｘ）のための１つまたは複数（１つ以上）の（例えば、異なる）トランスポートブロック（ＴＢ）と関連付けることができる。ＴＴＩは、整数個の１つまたは複数（１つ以上）のＢＴＩによって表現することができる。例えば、図４に示されるように、ＴＴＩは、ＴＴＩn（ｘ＊ＢＴＩ）４２０によって表現することができ、および／またはＴＴＩは、ＴＴＩn+1（ｙ＊ＢＴＩ）４２２によって表現することができる。図４に示されるように、ＴＴＩは、ＴＴＩDL(n)（ｘ＊ＢＴＩ）４２０によって表現することができ、および／またはＴＴＩは、ＴＴＩDL(n+1)（ｙ＊ＢＴＩ）４２２によって表現することができる。
【０１０９】
柔軟な無線アクセス無線通信システムにおいてサポートされるフレーム持続時間は、レガシＬＴＥタイミング構造とのアライメントを可能にすることができる。例えば、サポートされるフレーム持続時間は、１００μｓ、１２５μｓ（１／８ｍｓ）、１４２．８５μｓ（１／７ｍｓは、２つのｎＣＰ  ＬＴＥ  ＯＦＤＭシンボル）、および／または１ｍｓを含むことができる。
【０１１０】
図４は、柔軟な無線アクセス無線通信システムの例示的なＴＤＤフレーム構造４００におけるタイミング関係を示している。図５は、柔軟な無線アクセス無線通信システムの例示的なＦＤＤフレーム構造５００におけるタイミング関係を示している。ＷＴＲＵおよび／または基地局デバイスは、フレームを利用することができる。フレームは、（図４の４０２、および／または図５の５０２などの）ダウンリンク制御情報（ＤＣＩ）から開始することができる。ＤＣＩは、（図４の４０４、および／または図５の５０４などの）固定された時間持続ｔdciとすることができる。ＤＣＩの時間持続は、関連するキャリア周波数(concerned carrier frequency)についてのダウンリンクデータ送信（例えば、ＤＬ  ＴＲｘ４０６および／または５０６などのＤＬ  ＴＲｘ）に先行することができる。関連するキャリア周波数(concerned carrier frequency)は、ＴＤＤの場合のｆUL+DL４０８、および／またはＦＤＤの場合のｆDL５０８を含むことができる。ＴＤＤデュープレクスの場合、フレームは、ダウンリンク部分（例えば、ＤＣＩおよび／またはＤＬ  ＴＲｘ）を含むことができ、フレームは、アップリンク部分（例えば、ＵＬ  ＴＲｘ４１０および／または５１０などのＵＬ  ＴＲｘ）を含むことができる。スイッチングギャップ（ｓｗｇ４１２などのｓｗｇ）は、存在する場合、フレームのアップリンク部分に先行することができる。ＦＤＤデュープレクスの場合、フレームは、ダウンリンク基準ＴＴＩを含むことができ、および／またはフレームは、アップリンクのための１つもしくは複数のＴＴＩを含むことができる。アップリンクＴＴＩの開始は、アップリンクフレームの開始と重複することができるダウンリンク基準フレームの開始から適用されるオフセット（ｔoffset５１２などのｔoffset）を使用して、導出することができる。ＴＤＤの場合、ＷＴＲＵおよび／または基地局デバイスは、フレームにおいて、Ｄ２Ｄ／Ｖ２ｘ／サイドリンク動作を利用することができる。例えば、ＴＤＤの場合、フレームにおけるＤ２Ｄ／Ｖ２ｘ／サイドリンク動作は、それぞれのダウンリンク制御および／または順方向送信を、（それぞれのリソースの半静的割り当てが使用される場合は）ＤＣＩ＋ＤＬ  ＴＲｘ部分に、または（動的割り当てについては）ＤＬ  ＴＲｘ部分に含むことによって、ならびにそれぞれの逆方向送信を、ＵＬ  ＴＲｘ部分に含むことによって、サポートすることができる。ＦＤＤの場合、ＷＴＲＵおよび／または基地局デバイスは、フレームのＵＬ  ＴＲｘ部分において、Ｄ２Ｄ／Ｖ２ｘ／サイドリンク動作を利用することができる。例えば、ＦＤＤの場合、フレームのＵＬ  ＴＲｘ部分におけるＤ２Ｄ／Ｖ２ｘ／サイドリンク動作は、それぞれのダウンリンク制御、順方向、および逆方向送信を、（それぞれのリソースの動的割り当てを使用することができる場合は）ＵＬ  ＴＲｘ部分に含むことによってサポートすることができる。
【０１１１】
ＷＴＲＵおよび／または基地局デバイスは、ＭＡＣレイヤにおいて、スケジューリング機能を利用することができる。サポートすることができるスケジューリングモードは、厳格なスケジューリング（例えば、リソース、タイミング、ならびに／またはダウンリンク送信および／もしくはアップリンク送信の送信パラメータに関する厳格なスケジューリング）のためのネットワークベースのスケジューリングを含むことができる。サポートすることができるスケジューリングモードは、タイミングおよび／または送信パラメータに関する、柔軟性のための、ＷＴＲＵベースのスケジューリングを含むことができる。ネットワークベースのスケジューリング、および／またはＷＴＲＵベースのスケジューリングについて、スケジューリング情報は、１つまたは複数（１つ以上）のＴＴＩに対して有効とすることができる。ネットワークベースのスケジューリングは、ネットワークが、無線リソース（例えば、異なるＷＴＲＵに割り当てられた利用可能な無線リソース）を管理することを可能にすることができる。例えば、ネットワークベースのスケジューリングは、ネットワークが、異なるＷＴＲＵに割り当てられた利用可能な無線リソースを、そのようなリソースの共用を最適化するために、管理することを可能にすることができる。ＷＴＲＵおよび／または基地局デバイスは、動的なスケジューリングを利用することができる。ＷＴＲＵベースのスケジューリングは、ＷＴＲＵが、必要なときに、最小の待ち時間で、アップリンクリソースにアクセスする（例えば、日和見的にアクセスする）ことを可能にすることができる。ＷＴＲＵベースのスケジューリングは、ＷＴＲＵが、ネットワークによって割り当てられた共用および／または専用アップリンクリソース（例えば、動的または固定的なアップリンクリソース）のセット内のアップリンクリソースにアクセスすることを可能にすることができる。
【０１１２】
ＷＴＲＵおよび／または基地局デバイスは、同期および／または非同期の日和見的な送信を利用することができる。ＷＴＲＵおよび／または基地局デバイスは、競合ベースの送信、および／または競合なしの送信を利用することができる。送信のために利用可能なデータ、および／またはアップリンク送信のために利用可能なリソースの関連付けを、サポートすることができる。ＷＴＲＵおよび／または基地局デバイスは、トランスポートブロック（例えば、同じトランスポートブロック）内において、１つまたは複数の（例えば、異なる）ＱｏＳ要件を有するデータの多重化を利用することができる。例えば、ＷＴＲＵおよび／または基地局デバイスは、トランスポートブロック内において、１つまたは複数（１つ以上）のＱｏＳ要件を有するデータの多重化を、そのような多重化が、最も厳格なＱｏＳ要件を有するサービスに対して悪影響を導入しない限り、および／またはシステムリソースの不要な浪費を導入しない限り、利用することができる。
【０１１３】
ＷＴＲＵおよび／または基地局デバイスは、リソース要素（ＲＥ）を利用することができる。ＲＥは、ＷＴＲＵおよび／または基地局デバイスによって、物理リソースグリッド内のリソースユニット（例えば、最小のリソースユニット）として使用することができる。ＷＴＲＵおよび／または基地局デバイスは、物理リソースグリッド内のＲＥのうちの１つまたは複数（１つ以上）を定義することができる。ＲＥは、以下のうちの１もしくは複数とすることができ、および／またはそれらを含むことができる。ＲＥは、時間シンボル（例えば、ＯＦＤＭ、フィルタリングされたＯＦＤＭ、フィルタバンクマルチキャリア、すなわち、ＦＢＭＣ）におけるマルチキャリア波形のサブキャリアとすることができ、および／またはそれを含むことができる。例えば、ＲＥは、波形がシングルキャリアに基づく場合、時間シンボルとすることができ、および／またはそれを含むことができる。ＲＥは、データシンボルを搬送するために、複数の系列（sequence）を使用することができる、変調されたシンボルの系列とすることができ、および／またはそれを含むことができる。例えば、変調されたシンボルは、１つまたは複数の系列を搬送することができる。データシンボル（例えば、ＱＰＳＫ、１６ＱＡＭ、６４ＱＡＭ）を送信するために、各系列を使用することができる。ＲＥは、データシンボルを搬送することができるリソースユニットとすることができ、および／またはそれを含むことができる。
【０１１４】
波形、多重化方式、および変調方式は、交換可能に使用することができる。波形の時間シンボル、変調されたシンボル、ＯＦＤＭシンボル、フィルタリングされたＯＦＤＭシンボル、ＦＢＭＣシンボル、および時間シンボルは、交換可能に使用することができる。データシンボル、コンステレーション、ＱＰＳＫ、ＱＡＭ、およびオフセットＱＡＭは、交換可能に使用することができる。
【０１１５】
ＷＴＲＵおよび／または基地局デバイスは、１つまたは複数のＲＥタイプを利用することができる。ＷＴＲＵおよび／または基地局デバイスは、周波数空間（例えば、サブキャリア間隔）、および／または時間長（例えば、シンボル長）に基づいて、ＲＥタイプを決定することができる。ＷＴＲＵおよび／または基地局デバイスは、周波数ロケーションに基づいて、ＲＥの周波数空間および／または時間長を決定することができる。図６に示されるように、第１の周波数リソースにおけるＲＥは、周波数空間deltaＦ1  ６０６および／または時間長deltaＴ1  ６１０を用いて定義することができる。第２の周波数リソースにおけるＲＥは、周波数空間deltaＦ2  ６０８および／または時間長deltaＴ2  ６１２を用いて定義することができる。
【０１１６】
リソースブロック（ＲＢ）は、ＲＥのセットとすることができる。ＷＴＲＵおよび／または基地局デバイスは、１つまたは複数のＲＢタイプを使用することができる。例えば、リソースブロックは、周波数における１つもしくは複数のＲＥ（例えば、１つもしくは複数のＲＥの組み合わせ）（ＮRE,f）、および／または時間における多数のＲＥ（ＮRE,t）として定義することができる。ＷＴＲＵおよび／または基地局デバイスは、ＲＢタイプに基づいて、時間および／または周波数におけるＲＥの数を決定することができる。
【０１１７】
ＷＴＲＵおよび／または基地局デバイスは、１つまたは複数のＲＢタイプを使用することができる。ＷＴＲＵおよび／または基地局デバイスは、（例えば、各）ＲＢタイプを、送信モード（または方式、ＳＯＭ）と関連付けることができる。ＷＴＲＵおよび／または基地局デバイスは、より高位のレイヤのシグナリング、および／またはブロードキャストシグナリングを介して、送信モード（または方式、ＳＯＭ）を構成することができる。ＷＴＲＵおよび／または基地局デバイスは、ＷＴＲＵ能力に基づいて、送信モード（または方式、ＳＯＭ）を決定することができる。送信モード（または方式、ＳＯＭ）は、関連付けられたダウンリンク制御チャネルから示すことができる。ＷＴＲＵおよび／または基地局デバイスは、関連付けられたダウンリンク制御チャネルの時間／周波数ロケーションに基づいて、送信モード（または方式、ＳＯＭ）を決定することができる。ＷＴＲＵおよび／または基地局デバイスは、ダウンリンク制御候補インデックス（例えば、探索空間ロケーション）に基づいて、送信モード（または方式、ＳＯＭ）を決定することができる。
【０１１８】
ＷＴＲＵおよび／または基地局デバイスは、時間および周波数ロケーションを決定することができる。例えば、ＷＴＲＵおよび／または基地局デバイスは、ＷＴＲＵが受信することができる、ならびに／またはＷＴＲＵが受信する（および／もしくは監視（monitor）、デコード、測定などをする）必要があることがある、決定されたＲＢタイプに基づいて、時間および周波数ロケーションを決定することができる。例えば、ＷＴＲＵおよび／または基地局デバイスは、時間および／または周波数ロケーションに基づいて、ＲＢタイプを決定することができる。ＷＴＲＵには、ＷＴＲＵが受信する必要があることがあるＲＢタイプの時間および／または周波数ロケーションを通知することができる。ＲＢは、１つまたは複数のＲＥ（例えば、ＲＥのセット）を含むことができる。ＲＢ（および／またはＲＢタイプ）内のＲＥは、同じタイプ（例えば、同じ周波数間隔および／または時間長）のＲＥとすることができる。ＲＢ（および／またはＲＢペア）は、リソースユニットとして使用することができる。例えば、ＲＢ（および／またはＲＢペア）は、データ送信をスケジュールするための最小のリソースユニットとして使用することができる。
【０１１９】
送信モード、送信方式、およびＳＯＭは、交換可能に使用することができる。
【０１２０】
ＷＴＲＵおよび／または基地局デバイスは、ＲＢタイプを決定することができる。例えば、ＷＴＲＵおよび／または基地局デバイスは、周波数におけるＲＥの数、時間におけるＲＥの数、および／またはＲＥタイプのうちの１つまたは複数に基づいて、ＲＢタイプを決定することができる。ＷＴＲＵおよび／または基地局デバイスは、ＲＥタイプをＲＢタイプと関連付けることができる。ネットワーク（および／またはｅＮＢ、システムなど）が、あるタイプのＲＥを使用する場合、ＷＴＲＵおよび／または基地局デバイスは、周波数におけるＲＥの数、および／または時間におけるＲＥの数に基づいて、ＲＢタイプを決定することができる。表１．０は、ＲＢタイプの例を示している。ＲＢタイプは、時間および／もしくは周波数におけるＲＥの数、ＲＥのサブキャリア間隔、ならびに／またはＲＥの時間シンボル長に基づいて、決定することができる。
【０１２１】
１つまたは複数のＲＢタイプを、定義することができる。例えば、１つまたは複数のＲＢタイプは、低待ち時間接続を使用することができるトラフィックタイプ（例えば、定義されたトラフィックタイプ）のために使用することができる、１つまたは複数のサブキャリアを有する時間シンボル（例えば、単一の時間シンボル）を用いて定義することができる。１つまたは複数のＲＢタイプは、狭帯域送信を使用することができる定義されたトラフィックタイプのために使用することができる、１つまたは複数の時間シンボルを有するサブキャリア（例えば、単一のサブキャリア）を用いて定義することができる。１つまたは複数のＲＢタイプは、高スループット性能によって特徴付けることができるトラフィックタイプ（例えば、定義されたトラフィックタイプ）のために使用することができる、１つまたは複数の時間シンボルおよび１つまたは複数のサブキャリアを用いて定義することができる。
【０１２２】
【表１】
2018531538.tif 000003
【０１２３】
ＷＴＲＵおよび／または基地局デバイスは、１つまたは複数のＲＢタイプを多重化することができる。例えば、１つまたは複数のＲＢタイプは、サブフレーム内において多重化することができる。サブフレームは、事前定義された時間期間、および／または周波数帯域幅とすることができる。サブフレームは、ＲＢのセットとして定義することができる。図７は、サブフレーム内における１つまたは複数のＲＢタイプの多重化の例を示している。例えば、図７は、ＲＢタイプ−Ａ  ７０２、ＲＢタイプ−Ｂ  ７０６、および／またはＲＢタイプ−Ｃ  ７０４を多重化する例を示している。
【０１２４】
ＷＴＲＵおよび／または基地局デバイスは、ＲＢの周波数ロケーションに基づいて、サブフレーム内におけるＲＢタイプを決定することができる。サブフレーム内におけるＲＢタイプは、ＲＢの時間／周波数ロケーションに基づいて、決定することができる。サブフレーム内におけるＲＢタイプは、ＲＢ内においてスケジュールされたＷＴＲＵに基づいて、決定することができる。例えば、ＷＴＲＵは、データ送信／受信のために、ＲＢタイプ（例えば、決定されたＲＢタイプ）を用いるように構成することができる。スケジュールされたＲＢは、ＷＴＲＵのための構成されたＲＢタイプとして、決定することができる。
【０１２５】
ＷＴＲＵおよび／または基地局デバイスは、ＲＢを、時間のチャンクとして、および／または周波数リソースとして、定義することができる。ＷＴＲＵおよび／または基地局デバイスは、時間のチャンクおよび／または周波数リソース内におけるサブキャリア番号、および／または変調されたシンボルの数に基づいて、ＲＢのためのＲＥの数を決定することができる。ＲＢ内のＲＥの数は、変調のタイプ（例えば、ＯＦＤＭ、ＦＢＭＣなど）に基づいて、決定することができる。
【０１２６】
ＷＴＲＵおよび／または基地局デバイスは、１つまたは複数のダウンリンク制御チャネル（および／またはダウンリンク制御チャネルタイプ）を使用することができる。例えば、１つまたは複数のダウンリンク制御チャネル（および／またはダウンリンク制御チャネルタイプ）は、データチャネルのためのトラフィックタイプ、制御チャネル内で搬送される情報タイプ、基準信号、ダウンリンク制御チャネル送信のために使用されるＲＢタイプ、ＳＯＭ、および／または制御チャネルを受信もしくは監視（monitor）することができるＷＴＲＵタイプ（もしくはカテゴリ）のうちの１つまたは複数に基づいて、使用することができる。ダウンリンク制御チャネルは、ダウンリンク制御チャネルタイプ、制御チャネル、および制御チャネルタイプと交換可能に使用することができる。
【０１２７】
ＷＴＲＵおよび／または基地局デバイスは、ダウンリンク制御チャネルを定義（し、ならびに／または、例えば、決定し、および／もしくは使用）することができる。例えば、ダウンリンク制御チャネルは、ダウンリンク制御チャネルによってスケジュールされるデータチャネルのトラフィックタイプに基づいて、定義し、決定し、および／または使用することができる。ＷＴＲＵおよび／または基地局デバイスは、第１のトラフィックタイプ（例えば、遅延耐性のあるトラフィック）のために、第１のタイプのダウンリンク制御チャネルを使用することができる。ＷＴＲＵおよび／または基地局デバイスは、第２のトラフィックタイプ（例えば、低待ち時間トラフィック）のために、第２のタイプのダウンリンク制御チャネルを使用することができる。トラフィックタイプは、低待ち時間接続を使用することができるデータトラフィックとすることができる。低待ち時間接続は、事前定義された閾値未満であることができるＨＡＲＱタイミング（またはＨＡＲＱラウンドトリップ時間）と呼ばれることがある。ラウンドトリップ遅延は、事前定義された閾値未満であることができる。トラフィックタイプは、狭帯域送信を使用することができるデータトラフィックとすることができる。トラフィックタイプは、高信頼性を有する送信を使用することができるデータトラフィックとすることができる。トラフィックタイプは、ブロードキャストまたはマルチキャスト情報を搬送することができる制御トラフィックとすることができる。トラフィックタイプは、ＷＴＲＵ間で送信および／または受信することができる制御および／またはデータトラフィックとすることができる。
【０１２８】
ＷＴＲＵおよび／または基地局デバイスは、ＷＴＲＵ能力に基づいて、ダウンリンク制御チャネルを定義（し、ならびに／または、例えば、決定し、および／もしくは使用）することができる。第１のダウンリンク制御チャネルタイプは、限定されたＷＴＲＵ能力を有するＷＴＲＵのために使用することができる。第２のダウンリンク制御チャネルタイプは、完全なＷＴＲＵ能力を有するＷＴＲＵのために使用することができる。ＷＴＲＵ能力は、サポート可能な帯域幅（例えば、ＷＴＲＵによってサポートされるＲＦおよび／またはベースバンド帯域幅）を含むことができる。ＷＴＲＵ能力は、受信アンテナの数（例えば、ＷＴＲＵ受信機におけるＲＦチェーンまたはアンテナの数）を含むことができる。ＷＴＲＵ能力は、送信アンテナの数（例えば、ＷＴＲＵ送信機におけるＲＦチェーンまたはアンテナの数）を含むことができる。ＷＴＲＵ能力は、受信機ビームフォーミング能力を含むことができる。ＷＴＲＵ能力は、複数アンテナ受信機タイプを含むことができる。
【０１２９】
ＷＴＲＵおよび／または基地局デバイスは、基準信号に基づいて、ダウンリンク制御チャネルを定義することができる。例えば、第１のダウンリンク制御チャネルは、第１のタイプの基準信号（例えば、セル固有）と関連付けることができる。第２のダウンリンク制御チャネルは、第２のタイプの基準信号（例えば、ＷＴＲＵ固有）と関連付けることができる。
【０１３０】
ＷＴＲＵおよび／または基地局デバイスは、制御リソース要素（ＣＲＥ）を定義することができる。ＣＲＥは、１つまたは複数のＲＥからなるグループを用いて定義することができる。ＣＲＥは、リソース要素グループ（ＲＥＧ）、および強化されたＲＥＧ（ＥＲＥＧ）と交換可能に使用することができる。
【０１３１】
ＷＴＲＵおよび／または基地局デバイスは、一定数のＲＥを用いて、ＣＲＥを定義（し、および／または決定）することができる。例えば、ＣＲＥは、ＮRE,C個のＲＥを含むことができる。ＮRE,Cは、公称数、または利用可能なＲＥの数とすることができる。ＮRE,Cは、公称数とすることができ、ＣＲＥのために利用可能なＲＥの数は、ＮRE,C以下であることができる。例えば、１つもしくは複数のＲＥ、またはＣＲＥが、プライオリティがより高いチャネル（例えば、基準信号、同期信号、ブロードキャスティング信号）のために予約されている場合、ＣＲＥのために利用可能なＲＥの数は、ＮRE,Cよりも小さくすることができる。ＣＲＥのために利用可能なＲＥは、ＲＥと呼ばれることがあり、それは、制御チャネルのために使用することができる。プライオリティがより高い信号の構成を、ＷＴＲＵは知ることができる。
【０１３２】
ＷＴＲＵおよび／または基地局デバイスは、可変数のＲＥを用いて、ＣＲＥを定義することができる。例えば、ＷＴＲＵおよび／または基地局デバイスは、関連付けられたＣＲＥ内のＲＥについてのＲＥタイプに基づいて、ＣＲＥごとにＲＥの数を決定することができる。第１のタイプのＲＥを含むＣＲＥは、第１の数のＲＥ（例えば、ＮRE,C1）を用いて定義することができる。第２のタイプのＲＥを含むＣＲＥは、第２の数のＲＥ（例えば、ＮRE,C2）を用いて定義することができる。ＮRE,C1およびＮRE,C2の値は、異なることができ、ならびに事前構成および／または事前定義することができる。ＣＲＥごとのＲＥの数は、ＲＢタイプに基づいて、決定することができる。例えば、ＣＲＥごとのＲＥの数は、ＣＲＥを配置することができるＲＢのＲＢタイプに基づいて、決定することができる。第１のタイプのＲＢ内のＣＲＥは、第１の数のＲＥを用いて定義することができる。第２のタイプのＲＢ内のＣＲＥは、第２の数のＲＥを用いて定義することができる。ＣＲＥごとのＲＥの数は、ＣＲＥのインデックスに基づいて、決定することができる。時間サイクル（例えば、ＴＴＩ、サブフレーム、無線フレーム）に対して、１つまたは複数のＣＲＥを、定義することができる。ＣＲＥのためのＲＥの数は、ＣＲＥインデックスの関数として定義することができる。ＣＲＥごとのＲＥの数は、ＲＢ内の利用可能なＲＥの数に基づいて、決定することができる。
【０１３３】
ＷＴＲＵおよび／または基地局デバイスは、１つまたは複数のＣＲＥを使用することができる。ＷＴＲＵおよび／または基地局デバイスによって使用される（例えば、各）ＣＲＥは、互いに直交するＲＥのセットを含むことができる。
【０１３４】
ＷＴＲＵおよび／または基地局デバイスは、１つまたは複数のＣＲＥタイプを使用することができる。ＣＲＥタイプは、制御チャネルタイプに基づいて、決定することができる。低待ち時間接続を使用する第１の制御チャネルについてのＣＲＥタイプは、時間シンボル内（例えば、同じ時間シンボル内）に配置されたＲＥを用いて定義し、および／または構成することができる。狭帯域送信を使用する第２の制御チャネルについてのＣＲＥタイプは、サブキャリア内（例えば、同じサブキャリア内）に配置されたＲＥを用いて定義し、および／または構成することができる。
【０１３５】
ＷＴＲＵおよび／または基地局デバイスは、ＲＢタイプに基づいて、ＣＲＥタイプを決定することができる。例えば、ＣＲＥタイプは、制御チャネルのための構成されたＲＢのＲＢタイプに基づいて、決定することができる。制御チャネルのために、１つまたは複数のＲＢを構成することができる。構成されたＲＢは、定義されたＲＢタイプとして、決定することができる。ＷＴＲＵおよび／または基地局デバイスは、制御チャネルのための構成されたＲＢのために決定されたＲＢタイプに基づいて、ＣＲＥタイプを決定することができる。
【０１３６】
ＷＴＲＵおよび／または基地局デバイスは、ＲＥタイプに基づいて、ＣＲＥタイプを決定することができる。例えば、ＣＲＥタイプは、ＣＲＥを形成するためにグループ化することができるＲＥのＲＥタイプに基づいて、決定することができる。定義されたＲＥタイプであることができるＲＥを用いて、ＣＲＥを定義し、および／または構成することができる場合、ＣＲＥタイプは、ＣＲＥと関連付けられたＲＥのＲＥタイプに基づいて、決定することができる。
【０１３７】
ＷＴＲＵおよび／または基地局デバイスは、構成に基づいて、ＣＲＥタイプを決定することができる。ＣＲＥタイプは、より高位のレイヤのシグナリング、および／またはブロードキャストチャネルを介して、構成することができる。
【０１３８】
ＷＴＲＵおよび／または基地局デバイスは、ＷＴＲＵ能力および／またはカテゴリに基づいて、ＣＲＥタイプを決定することができる。例えば、ＷＴＲＵ（例えば、定義されたＷＴＲＵ能力および／またはＷＴＲＵカテゴリ）が、ダウンリンク制御チャネルを受信するように構成され、および／またはそれを監視（monitor）するように意図されている場合、ダウンリンク制御チャネルについてのＣＲＥタイプは、ＷＴＲＵ能力またはカテゴリに基づいて、決定することができる。
【０１３９】
ＷＴＲＵおよび／または基地局デバイスは、トラフィックタイプに基づいて、ＣＲＥタイプを決定することができる。トラフィックタイプは、サービスタイプ、より高位のレイヤのシグナリングのタイプ、および／またはトランスポートブロックタイプのうちの１つまたは複数を含むことができる。
【０１４０】
ＷＴＲＵおよび／または基地局デバイスは、波形のために使用されるＣＰ長に基づいて、ＣＲＥタイプを決定することができる。
【０１４１】
ＷＴＲＵおよび／または基地局デバイスは、サブフレームタイプに基づいて、ＣＲＥタイプを決定することができる。サブフレームタイプは、サブフレーム内において供給されるトラフィックタイプに基づいて、定義し、および／または構成することができる。例えば、サブフレームが、第１のトラフィックタイプ（例えば、低待ち時間トラフィック）を搬送するために使用される場合、サブフレームタイプは、第１のサブフレームタイプ（例えば、低待ち時間トラフィックサブフレーム）と呼ばれることがある。第１のサブフレームタイプのためのパラメータは、構成（例えば、第１のサブフレームと関連付けられた構成）に基づいて、決定することができる。各サブフレームタイプのパラメータは、サブフレームと関連付けられた構成を用いて、構成することができる。パラメータは、サブキャリア間隔、時間シンボル長、サブキャリアの数、時間シンボルの数、および／またはサブフレームが定義されたブロードキャスト信号を含むかどうかのうちの１つまたは複数を含むことができる。
【０１４２】
図８は、ＲＢタイプに基づいて定義または構成されるＣＲＥタイプの例を示している。例えば、図８は、ＣＲＥタイプ−Ａ  ８０２、ＣＲＥタイプ−Ｂ  ８０４、および／またはＣＲＥタイプ−Ｃ  ８０６の例を示している。ＣＲＥタイプ−Ａ  ８０２、ＣＲＥタイプ−Ｂ  ８０４、および／またはＣＲＥタイプ−Ｃ  ８０６は、ＲＢタイプに基づいて、定義し、または構成することができる。
【０１４３】
ＷＴＲＵおよび／または基地局デバイスは、単一のＣＲＥタイプを使用することができる。ＷＴＲＵおよび／または基地局デバイスは、ＣＲＥを定義し、または事前定義することができる。例えば、ＣＲＥのために、一定の公称数のＲＥを使用することができる。ＲＥタイプ、制御チャネルタイプ、および／またはＷＴＲＵ能力（もしくはＷＴＲＵカテゴリ）にかかわりなく、ＣＲＥのために、一定の公称数のＲＥを使用することができる。ＣＲＥは、ＲＥとして定義し、および／または構成することができる。
【０１４４】
ＷＴＲＵおよび／または基地局デバイスは、制御リソース要素グループ（ＣＲＥＧ）を定義し、および／または構成することができる。例えば、制御リソース要素グループ（ＣＲＥＧ）は、１つまたは複数のＣＲＥからなるグループを用いて、定義し、および／または構成することができる。ＣＲＥＧは、制御リソース要素（ＣＣＥ）および／または強化されたＣＣＥ（ＥＣＣＥ）と交換可能に使用することができる。同じタイプを有するＣＲＥは、ＣＲＥＧを形成するようにグループ化することができる。ＣＲＥＧタイプは、ＣＲＥタイプに基づいて、決定することができる。ＣＲＥは、ＣＲＥＧを形成するようにグループ化することができる。例えば、ＣＲＥは、ＣＲＥＧタイプに基づいて、ＣＲＥＧを形成するようにグループ化することができる。
【０１４５】
ＷＴＲＵおよび／または基地局デバイスは、１つまたは複数のＣＲＥＧタイプを定義し、および／または使用することができる。ダウンリンク制御情報（ＤＣＩ）送信および／またはダウンリンク制御チャネルについてのＣＲＥＧタイプは、チャネルタイプ（例えば、関連付けられたチャネルタイプ）に基づいて、決定することができる。例えば、第１のチャネルタイプのために使用されるＣＲＥＧタイプは、第２のチャネルタイプのために使用されるＣＲＥＧタイプと異なることができる。第１のＣＲＥＧタイプ（例えば、ＣＲＥＧタイプ−Ａ  ９０２）は、第１のチャネルタイプ（例えば、低待ち時間チャネル）と関連付けられたＤＣＩを搬送し、送信し、受信し、および／または監視（monitor）するために、使用することができる。第２のＣＲＥＧタイプ（例えば、ＣＲＥＧタイプ−Ｂ  ９０４）は、第２のチャネルタイプ（例えば、狭帯域送信）と関連付けられたＤＣＩを搬送し、送信し、受信し、および／または監視（monitor）するために、使用することができる。第３のＣＲＥＧタイプ（例えば、ＣＲＥＧタイプ−Ｃ  ９０６）は、第３のチャネルタイプ（例えば、広帯域高スループットチャネル）と関連付けられたＤＣＩを搬送し、送信し、受信し、および／または監視（monitor）するために、使用することができる。
【０１４６】
ＷＴＲＵおよび／または基地局デバイスは、送信モードに基づいて、ダウンリンク制御チャネルのためのＣＲＥＧタイプを決定することができる。例えば、ダウンリンク制御チャネルのためのＣＲＥＧタイプは、ＷＴＲＵのために構成された送信モードに基づいて、決定することができる。
【０１４７】
ＷＴＲＵおよび／または基地局デバイスは、時間および周波数ロケーションに基づいて、ＣＲＥＧタイプを定義し、決定し、および／または構成することができる。例えば、ＣＲＥＧタイプは、ＣＲＥＧを形成するためにグループ化されたＣＲＥの時間および周波数ロケーションに基づいて、定義し、決定し、および／または構成することができる。図９は、例示的なＣＲＥＧタイプを示している。ＣＲＥＧタイプは、同じ時間シンボル内に配置することができる、および／または隣接する時間シンボル内で定義することができるＣＲＥを用いて、定義し、および／または構成することができる。例えば、ＣＲＥＧタイプ（例えば、ＣＲＥＧタイプ−Ａ）は、低待ち時間送信を使用することができる。より少数の時間シンボル内で送信される１つまたは複数のＣＲＥＧにおけるダウンリンク制御チャネル送信は、送信遅延を低減させることができる。
【０１４８】
ＷＴＲＵおよび／または基地局デバイスは、周波数の同じセット（例えば、サブキャリアの同じセット）内に配置することができるＣＲＥを用いて、ＣＲＥＧタイプを定義し、および／または構成することができる。例えば、ＣＲＥＧタイプ（例えば、ＣＲＥＧタイプ−Ｂ）は、狭帯域幅内におけるダウンリンク制御チャネル送信を使用することができる。より少数のサブキャリア内で送信される１つまたは複数のＣＲＥＧにおけるダウンリンク制御チャネル送信は、狭帯域送信をサポートすることができる。
【０１４９】
ＷＴＲＵおよび／または基地局デバイスは、ＲＥのセットに基づいて、ＣＲＥＧを定義し、決定し、および／または構成することができる。例えば、ＷＴＲＵおよび／または基地局デバイスは、１つまたは複数のＲＢ内におけるＲＥの事前決定されたセットを使用することができる。ＣＲＥＧのためのＲＥのセットは、ＣＲＥＧインデックスに基づいて、定義し、および／または決定することができる。第１のタイプの制御チャネルのために使用することができるＣＲＥＧのためのＲＥのセットは、同じ時間シンボル内に、および／または隣接する時間シンボル内に配置することができる。第２のタイプの制御チャネルのために使用することができるＣＲＥＧのためのＲＥのセットは、同じ周波数内に配置することができる。第２のタイプの制御チャネルのために使用することができるＣＲＥＧのためのＲＥのセットは、サブキャリアの同じセット、および／または隣接するサブキャリア内に配置することができる。第３のタイプの制御チャネルのために使用することができるＣＲＥＧのためのＲＥのセットは、複数のＲＢ内に配置することができる。複数のＲＢは、同じタイプのＲＢとすることができる。
【０１５０】
ＷＴＲＵおよび／または基地局デバイスは、ＣＲＥおよび／またはＣＲＥＧを復調するために、基準信号を使用することができる。ダウンリンク制御チャネルのために、１つまたは複数の基準信号構造を使用することができる。第１の基準信号構造は、セル固有の基準信号とすることができる。セル固有の基準信号は、１つまたは複数のダウンリンクチャネルのために使用することができる。例えば、基準信号は、ダウンリンク制御チャネルおよび／またはブロードキャストチャネルのために使用することができる。セル固有の基準信号は、システム帯域幅上において送信することができる。セル固有の基準信号は、ダウンリンク測定（例えば、基準信号受信電力）のために使用することができる。第２の基準信号構造は、専用基準信号とすることができる。専用基準信号は、特定のダウンリンクチャネルのために使用することができる。例えば、専用基準信号は、ダウンリンク制御チャネルのために使用することができる。専用基準信号は、データチャネルのために使用することができる。専用基準信号は、局所化されたリソース内において送信することができる。専用基準信号は、ＷＴＲＵによって割り当て、受信し、および／またはデコードすることができるリソース内に配置することができる。
【０１５１】
ＷＴＲＵおよび／または基地局デバイスは、１つまたは複数の基準信号タイプを使用し、定義し、および／または決定することができる。例えば、基準信号タイプは、基準信号の時間および／もしくは周波数ロケーション（例えば、時間および周波数リソースグリッド内における基準信号パターン）、スクランブリング系列、アンテナポートの数、ならびに／またはアンテナポート番号に基づいて、使用し、定義し、および／または決定することができる。
【０１５２】
ＷＴＲＵおよび／または基地局デバイスは、ＣＲＥおよび／またはＣＲＥＧを復調するための（および／またはそれらと関連付けられた）基準信号タイプを決定することができる。例えば、ＣＲＥおよび／またはＣＲＥＧを復調するための（および／またはそれらと関連付けられた）基準信号タイプは、ＣＲＥおよび／またはＣＲＥＧインデックスの関数として決定することができる。基準信号のＮT個のタイプを使用することができる。基準信号タイプは、ＣＲＥインデックスおよび／またはＣＲＥＧインデックスの関数として決定することができる。基準信号タイプを決定するために、モジュロ演算を使用することができる。基準信号タイプを決定するために、事前定義されたマッピングルールを使用することができる。
【０１５３】
ＷＴＲＵおよび／または基地局デバイスは、ＣＲＥタイプおよび／またはＣＲＥＧタイプに基づいて、ＣＲＥおよび／またはＣＲＥＧと関連付けられた基準信号タイプを決定することができる。例えば、第１の基準信号タイプは、第１のＣＲＥタイプ（および／またはＣＲＥＧタイプ）のために使用することができる。第２の基準信号タイプは、第２のＣＲＥタイプ（および／またはＣＲＥＧタイプ）のために使用することができる。
【０１５４】
ＷＴＲＵおよび／または基地局デバイスは、階層的なダウンリンク制御チャネル構造を使用することができる。ＷＴＲＵおよび／または基地局デバイスは、共通ダウンリンク制御チャネル、および／または１つもしくは複数の専用ダウンリンク制御チャネルを使用することができる。共通ＤＬ制御チャネルは、サービスタイプ、トラフィックタイプ、送信タイプ、ＷＴＲＵカテゴリ、および／またはＷＴＲＵ能力にかかわらず、１つもしくは複数のＷＴＲＵ（例えば、すべてのＷＴＲＵ）に送信することができ、および／またはそれらによって受信することができる。専用ＤＬ制御チャネルは、定義されたサービスタイプ、トラフィックタイプ、送信タイプ、ＷＴＲＵカテゴリ、および／またはＷＴＲＵ能力を用いて、ＷＴＲＵに送信することができ、および／またはＷＴＲＵによって受信することができる。共通ＤＬ制御チャネルは、ルートＤＬ制御チャネル、およびセル固有の制御チャネルと交換可能に使用することができる。専用ＤＬ制御チャネルは、サービスタイプ固有のＤＬ制御チャネル、送信タイプ固有のＤＬ制御チャネル、およびＷＴＲＵ固有の制御チャネルと交換可能に使用することができる。
【０１５５】
図１０に示されるように、階層的なＤＬ制御チャネル構造を定義するために、ＷＴＲＵおよび／または基地局デバイスによって、２つ以上のレイヤを使用することができる。例えば、物理共通ダウンリンク制御チャネル（ＰＣＤＣＣＨ）は、共通ＤＬ制御チャネルとして使用することができる。物理専用ダウンリンク制御チャネル（ＰＤＤＣＣＨ）は、専用ＤＬ制御チャネルとして使用することができる。
【０１５６】
ＷＴＲＵは、各レイヤにおいて、１つまたは複数のＤＬ制御チャネルを受信し、および／または監視（monitor）することができる。例えば、階層的なＤＬ制御チャネル構造において、複数のレイヤが使用される場合、ＷＴＲＵは、各レイヤにおいて、１つまたは複数のＤＬ制御チャネルを受信し、および／または監視（monitor）する必要があることがある。図１０に示されるように、ＷＴＲＵは、第１のレイヤにおいて、ＰＣＤＣＣＨ１００８を受信し、および／または監視（monitor）することができる。第１のレイヤは、物理共通ＤＬ制御チャネル１００２などの、共通ＤＬ制御チャネルとすることができる。ＷＴＲＵは、第２のレイヤにおいて、ＰＤＤＣＣＨタイプ（例えば、ＰＤＤＣＣＨタイプ−Ｂ１０１２）を受信し、および／または監視（monitor）することができる。第２のレイヤは、物理専用ＤＬ制御チャネル１００４などの、専用ＤＬ制御チャネルとすることができる。ＷＴＲＵは、第３のレイヤにおいて、ＰＤＤＣＣＨ  Ｃａｔ（例えば、ＰＤＤＣＣＨ  Ｃａｔ−Ａ  １０２２）を受信し、および／または監視（monitor）することができる。第３のレイヤは、Ｌ１プロファイル１００６などの、プロファイルとすることができる。Ｌ１プロファイル１００６は、サービスタイプおよび／またはＰＨＹ−ＱｏＳを含むことができる。
【０１５７】
ＷＴＲＵおよび／または基地局デバイスは、共通ＤＬ制御チャネル（例えば、物理共通ＤＬ制御チャネル１００２）からスケジュールすることができるブロードキャストチャネルを介して、専用ＤＬ制御チャネル（例えば、物理専用ＤＬ制御チャネル１００４）を構成することができる。ＰＣＤＣＣＨ１００８は、ブロードキャスティング情報を搬送することができるデータチャネルをスケジュールするために、使用することができる。ブロードキャスティング情報は、専用ＤＬ制御チャネルの構成を含むことができる。専用ＤＬ制御チャネルは、ＷＴＲＵ固有のより高位のレイヤのシグナリングを介して、構成することができる。
【０１５８】
ＷＴＲＵおよび／または基地局デバイスは、１つまたは複数のプロパティを用いて、専用ＤＬ制御チャネル（例えば、物理専用ＤＬ制御チャネル１００４などの、各専用ＤＬ制御チャネル）を定義することができる。専用ＤＬ制御チャネルのための１つまたは複数のプロパティは、専用ＤＬ制御タイプに従って、異なることができる。これらのプロパティは、波形、各種数値（numerologies）（例えば、サブキャリア間隔、時間シンボル長、および／またはガードタイムもしくはサイクリックプレフィックス長）、ＲＥタイプ（および／またはＲＢタイプ）、ＣＲＥタイプ（および／またはＣＲＥＧタイプ）、使用されるＲＢの数、デューティサイクル、関連付けられた基準信号、ならびに／または制御チャネルタイプを含むことができる。
【０１５９】
ＷＴＲＵおよび／または基地局デバイスは、１つまたは複数の専用制御チャネルを構成するために、共通ＤＬ制御チャネル（例えば、物理共通ＤＬ制御チャネル１００２）を使用することができる。ＷＴＲＵが受信および／または監視（monitor）する専用制御チャネルは、ＷＴＲＵ能力および／またはカテゴリに基づいて、決定することができる。ＷＴＲＵが受信および／または監視（monitor）する専用制御チャネルは、サービスタイプおよび／またはトラフィックタイプに基づいて、決定することができる。ＷＴＲＵが受信および／または監視（monitor）する専用制御チャネルは、より高位のレイヤの構成（例えば、ＷＴＲＵ固有のより高位のレイヤのシグナリング）に基づいて、決定することができる。ＷＴＲＵが受信および／または監視（monitor）する専用制御チャネルは、インジケーションに基づいて、決定することができる。ＷＴＲＵが受信および／または監視（monitor）する専用制御チャネルは、共通ＤＬ制御からのインジケーションに基づいて、決定することができる。ＷＴＲＵおよび／または基地局デバイスは、グループダウンリンク制御情報を受信および／または監視（monitor）するＷＴＲＵのために、どの専用制御チャネルが受信および／または監視（monitor）されるべきか（例えば、受信および／または監視される必要があるか）を示すために、グループダウンリンク制御情報を使用することができる。ＷＴＲＵおよび／または基地局デバイスは、ダウンリンクトランスポートチャネルタイプに基づいて、ＷＴＲＵが受信および／または監視（monitor）する専用制御チャネルを決定することができる。例えば、図１１に示されるように、１つまたは複数のダウンリンクトランスポートチャネルタイプ（例えば、ＤＬ−ＳＣＨタイプ−１  １００６、ＤＬ−ＳＣＨタイプ−２  １００８、および／またはＤＬ−ＳＣＨタイプ−ｘ  １０１０）を、定義することができる。ダウンリンクトランスポートチャネルタイプは、（ダウンリンクトランスポートチャネル１１０２のレイヤなどの）レイヤ内において定義することができる。ダウンリンクトランスポートチャネルタイプのうちの１つまたは複数は、１つまたは複数の専用ＤＬ制御チャネルタイプ（例えば、ＰＤＤＣＣＨタイプ−Ａ  １１１２、ＰＤＤＣＣＨタイプ−Ｂ  １１１４、および／またはＰＤＤＣＣＨタイプ−Ｘ  １１１６）と関連付けることができる。専用ＤＬ制御チャネルタイプは、（ダウンリンク物理チャネル１１０４のレイヤなどの）レイヤ内において定義することができる。
【０１６０】
ＷＴＲＵおよび／または基地局デバイスは、すべてのサービスタイプ、ＷＴＲＵカテゴリ、ＷＴＲＵ能力、および／またはＬ１プロファイルをサポートするために、単一の共通ダウンリンク制御チャネルを使用することができる。
【０１６１】
（図１２に示されるような、公称システム帯域幅１２０２などの）公称システム帯域幅は、（総システム帯域幅１２０４などの）総システム帯域幅よりも小さく、または狭くすることができる。例えば、公称システム帯域幅は、５ＭＨｚの帯域幅を有することができ、および／または総システム帯域幅は、２０ＭＨｚの帯域幅を有することができる。総システム帯域幅よりも小さく、または狭くすることができる公称システム帯域幅は、ネットワークにおけるセル選択または再選択のためのセルとして定義し、または使用することができる。１つまたは複数のセルを、使用することができる。ＷＴＲＵは、セルの１つを決定することができる。公称システム帯域幅は、初期セルアクセスのために定義し、または使用することができる。例えば、ＷＴＲＵが、セルを決定した場合、ＷＴＲＵは、公称システム帯域幅において、１つまたは複数のダウンリンク信号を受信することができる。１つまたは複数のダウンリンク信号は、セルにアクセスするために使用することができるブロードキャスト情報、ＲＲＣ接続のためのより高位のレイヤのシグナリング（例えば、ＷＴＲＵ固有）、測定および／もしくは同期のための１つもしくは複数の基準信号、ならびに／または時間および／もしくは周波数同期のための同期信号を含むことができる。ＷＴＲＵおよび／または基地局デバイスは、共通ＤＬ制御チャネルの受信または監視（monitor）のために、公称システム帯域幅を定義し、および／または使用することができる。
【０１６２】
ＷＴＲＵおよび／または基地局デバイスは、総システム帯域幅のサブセットを用いて、公称システム帯域幅を定義することができる。ＷＴＲＵおよび／または基地局デバイスは、公称システム帯域幅から示された、または受信された構成に基づいて、公称システム帯域幅以外の周波数バンドを使用することができる。共通ＤＬ制御チャネルは、公称システム帯域幅（例えば、公称システム帯域幅１２０２）において、基地局デバイス（例えば、ｅＮＢ）から送信し、および／またはＷＴＲＵによって受信することができる。ＷＴＲＵおよび／または基地局デバイスは、総システム帯域幅（例えば、総システム帯域幅１２０４）内の周波数バンドにおいて、専用ＤＬ制御チャネルを構成することができる。例えば、制御チャネルタイプのための専用ＤＬ制御チャネル（例えば、タイプ−Ａ制御チャネル）は、制御チャネルタイプと関連付けられたトラフィックタイプのために使用および／または構成される、周波数バンド（例えば、ＲＢ）内に配置することができる。トラフィックタイプ（例えば、超低待ち時間）のための専用ＤＬ制御チャネルは、トラフィックタイプのために割り当てられた、および／または使用される周波数バンド内に配置することができる。１つまたは複数の専用ＤＬ制御チャネルは、トラフィックタイプと関連付けることができる異なる周波数バンド内に配置することができる。専用ＤＬ制御チャネルの時間／周波数ロケーションは、トラフィックタイプおよび／またはサービスタイプのために構成することができる周波数バンド内に事前定義することができる。例えば、ＷＴＲＵが受信する必要があることがあるトラフィックタイプおよび／またはサービスタイプのためのリソース構成を、ＷＴＲＵが受信した場合、トラフィックタイプおよび／またはサービスタイプと関連付けることができる専用ＤＬ制御チャネルの時間／周波数ロケーションを、ＷＴＲＵは知ることができる。
【０１６３】
ＷＴＲＵおよび／または基地局デバイスは、異なる周波数領域（例えば、ＲＢのセット、または連続するＲＢのセット）内に、公称システム帯域幅を配置することができる。ＷＴＲＵおよび／または基地局デバイスは、サービスタイプ、トラフィックタイプ、ＷＴＲＵカテゴリ、および／またはＷＴＲＵ能力のうちの１つまたは複数に基づいて、異なる周波数領域内に、公称システム帯域幅を配置することができる。例えば、広帯域サービスのための公称システム帯域幅は、大規模ＭＴＣ（ｍＭＴＣ）サービス（例えば、ｍＭＴＣ１２１２）のための周波数領域とは異なる周波数領域内に、配置することができる。ＷＴＲＵは、定義された同期信号を用いて、公称システム帯域幅を見つけることができる。例えば、ＷＴＲＵおよび／または基地局デバイスは、１つまたは複数の同期信号タイプを使用することができる。受信する同期信号タイプは、サービスタイプ、トラフィックタイプ、ＷＴＲＵカテゴリ、および／またはＷＴＲＵ能力のうちの１つまたは複数に基づいて、決定することができる。公称システム帯域幅（例えば、ＲＢの数）は、異なることができる。例えば、公称システム帯域幅（例えば、ＲＢの数）は、サービスタイプ、トラフィックタイプ、ＷＴＲＵカテゴリ、および／またはＷＴＲＵ能力のうちの１つまたは複数に基づいて、異なることができる。
【０１６４】
ＷＴＲＵおよび／または基地局デバイスは、専用ＤＬ制御チャネル構成のインジケーションを使用することができる。例えば、ＷＴＲＵおよび／または基地局デバイスは、専用ＤＬ制御チャネル構成の明示的または暗黙的なインジケーションを使用することができる。専用ＤＬ制御チャネル構成の明示的または暗黙的なインジケーションは、動的であることができる。例えば、公称システム帯域幅において、共通ＤＬ制御チャネル内で送信されるＤＣＩは、同じ時間期間（ならびに／または同じサブフレーム、隣接する時間、および／もしくは隣接するサブフレーム）内における、定義された専用ＤＬ制御チャネルの存在を示すことができる。インジケーションに基づいて、定義された専用ＤＬ制御チャネルと関連付けられたトラフィックタイプを受信および／または監視（monitor）するＷＴＲＵは、ＤＣＩから示された専用ＤＬ制御チャネルを監視（monitor）し、および／または受信することができる。
【０１６５】
ＷＴＲＵおよび／または基地局デバイスは、グループＲＮＴＩおよび／または専用ＲＮＴＩを使用することができるＤＣＩを使用することができる。例えば、グループＲＮＴＩおよび／または専用ＲＮＴＩを使用することができるＤＣＩは、定義された専用ＤＬ制御チャネルの存在を示すために、使用することができる。
【０１６６】
ＤＣＩは、ＷＴＲＵのための識別子を含むことができる。例えば、ＤＣＩは、共通ＤＬ制御チャネル上におけるデコードのために使用することができるＲＮＴＩとは異なる（例えば、よりも短い）ことができる、ＷＴＲＵのための識別子を含むことができる。識別子は、専用ＤＬ制御チャネルのＤＣＩペイロード内に含むことができ、および／または存在する場合は、専用ＤＬ制御チャネルの巡回冗長検査（ＣＲＣ）をマスクするために使用することができる。識別子は、専用ＤＬ制御チャネルのための特定のリソースに対するインデックスであることができ、またはそれを含むことができる。
【０１６７】
ＷＴＲＵおよび／または基地局デバイスは、１つまたは複数の専用ＤＬ制御チャネルのためのＤＣＩを使用することができる。例えば、複数の専用ＤＬ制御チャネルが、使用される場合、ＷＴＲＵおよび／または基地局デバイスは、各専用ＤＬ制御チャネルに対して別々のＤＣＩを使用することができる。（例えば、各）専用ＤＬ制御チャネルは、グループＲＮＴＩ（例えば、異なるグループＲＮＴＩ）から示すことができる。１つまたは複数（例えば、すべて）の専用ＤＬ制御チャネルに対して、ＤＣＩ（例えば、同じＤＣＩ）を使用することができる。例えば、ＤＣＩ内のビットフィールドは、どの専用ＤＬ制御チャネルの存在が示されているかを示すことができる。１つまたは複数のＷＴＲＵ（例えば、すべてのＷＴＲＵ）は、共通ＤＬ制御チャネル内のＤＣＩ（例えば、同じＤＣＩ）を監視（monitor）することができる。例えば、１つまたは複数のＷＴＲＵは、専用ＤＬ制御チャネルのインジケーションを受信するために、共通ＤＬ制御チャネル内の同じＤＣＩを監視（monitor）することができる。
【０１６８】
ＷＴＲＵおよび／または基地局デバイスは、専用ＤＬ制御チャネルの存在を示すために、基準信号タイプ（および／または構造もしくは系列）を使用することができる。ＷＴＲＵおよび／または基地局デバイスは、事前定義された（例えば、知られた）ロケーションにおいて、基準信号および／または系列を送信することができる。例えば、定義された専用ＤＬ制御チャネルが送信される場合、事前定義されたロケーションにおいて、基準信号および／または系列を送信することができる。そうではない場合、ＷＴＲＵおよび／または基地局デバイスは、他のダウンリンク信号送信のための基準信号および／または系列についての事前定義された、または知られたロケーションを使用することができる。
【０１６９】
ＷＴＲＵおよび／または基地局デバイスは、定義された専用ＤＬチャネルの存在を決定するために、サブフレーム番号、無線フレーム番号、および／または他のパラメータを使用することができる。定義された専用ＤＬ制御チャネルの存在は、ＷＴＲＵが、専用ＤＬ制御チャネルをデコードし、監視（monitor）し、または受信することを試みることができることを暗示することができる。例えば、定義された専用ＤＬ制御チャネルの存在は、専用ＤＬ制御チャネルと関連付けられたＷＴＲＵが、専用ＤＬ制御チャネルをデコードし、監視（monitor）し、または受信することを試みることができることを暗示することができる。
【０１７０】
ＷＴＲＵおよび／または基地局デバイスは、ＤＬ制御チャネル候補を使用することができる。ＤＬ制御チャネル候補は、制御チャネル（ＣＣ）候補、ＣＣデコーディング候補、ＣＣ監視（monitor）候補、およびＣＣ候補と交換可能に使用することができる。ＣＣ候補は、１つまたは複数のＣＲＥＧとして定義し、および／または構成することができる。ＣＣ候補は、ＤＣＩを搬送することができる。ＣＣ候補タイプは、使用されるＣＲＥタイプおよび／またはＣＲＥＧタイプに基づいて、定義し、または構成することができる。
【０１７１】
ＷＴＲＵおよび／または基地局デバイスは、探索空間を使用することができる。例えば、１つまたは複数のＣＣ候補を配置することができる探索空間を、使用することができる。探索空間内におけるＣＣ候補の数は、サービスタイプおよび／またはトラフィックタイプのうちの１つまたは複数に基づいて、決定することができる。サービスタイプおよび／またはトラフィックタイプは、超低待ち時間（ultra-low latency）１２０８、超信頼性（ultra-reliable）１２１０、狭帯域、および広帯域１２０６高スループットサービスを含むことができる。探索空間内におけるＣＣ候補の数は、ＷＴＲＵ能力および／またはカテゴリに基づいて、決定することができる。ＷＴＲＵ能力および／またはカテゴリは、サポート可能なアップリンクおよび／もしくはダウンリンク帯域幅、キャリアの数、送信および／もしくは受信アンテナの数、ならびに／または受信処理時間のうちの１つまたは複数を含むことができる。探索空間内におけるＣＣ候補の数は、時間および／または周波数リソースに基づいて、決定することができる。時間および／または周波数リソースは、探索空間がその中に配置される制御チャネルのために構成することができる。例えば、より大きい周波数リソース（例えば、ＲＢ）を有する構成は、より小さい周波数リソースを有する構成のそれと比較して、より大きいＣＣ候補を有することができる。ＷＴＲＵおよび／または基地局デバイスは、関連付けられた基準信号タイプに基づいて、探索空間内におけるＣＣ候補の数を決定することができる。例えば、第１の基準信号タイプと関連付けられた探索空間は、第２の基準信号タイプと関連付けられた探索空間と比較して、より少数のＣＣ候補を有することができる。本明細書における基準信号タイプは、ＣＲＥタイプ、ＣＲＥＧタイプ、またはＲＢタイプによって置き換えることができる。
【０１７２】
定義されたサービスタイプ（例えば、超低待ち時間）と関連付けられた探索空間は、より少数のＣＣ候補（例えば、単一のＣＣ候補）を含むことができる。別のサービスタイプ（例えば、狭帯域サービス）と関連付けられた探索空間は、より多数のＣＣ候補（例えば、５０のＣＣ候補）を含むことができる。定義されたサービスタイプと関連付けられた探索空間は、同じタイプのＣＲＥおよび／またはＣＲＥＧを使用することができるＣＣ候補を含むことができる。
【０１７３】
ＷＴＲＵは、探索空間内の１つまたは複数（例えば、すべて）のＣＣ候補をデコードし、監視（monitor）し、および／または受信することを試みることができる。例えば、ＷＴＲＵは、ＷＴＲＵと関連付けること、および／またはＷＴＲＵに対して構成することができる探索空間内の１つまたは複数（例えば、すべて）のＣＣ候補をデコードし、監視（monitor）し、および／または受信することを試みることができる。ＷＴＲＵは、サービスタイプ（および／もしくはトラフィックタイプ）、ＷＴＲＵ能力（および／もしくはＷＴＲＵカテゴリ）、ならびに／または関連付けられた基準信号タイプのうちの１つまたは複数に基づいて、ＷＴＲＵと関連付けること、および／またはＷＴＲＵに対して構成することができる探索空間内のＣＣ候補のサブセットをデコードし、監視（monitor）し、および／または受信することを試みることができる。
【０１７４】
ダウンリンク制御チャネルおよび／または専用ＤＬ制御チャネルのサブセットのために、探索空間を定義し、および／または使用することができる。例えば、チャネルタイプのサブセットのために、探索空間を構成し、および／または使用することができる。ＣＲＥおよび／またはＣＲＥＧタイプのサブセットのために、探索空間を構成し、および／または使用することができる。例えば、ＣＲＥＧタイプ−Ｂおよびタイプ−Ｃのために、探索空間を使用することができる。ＣＲＥＧタイプ−Ｂおよびタイプ−Ｃのためには、探索空間を使用することができ、一方、ＣＲＥＧタイプ−Ａのためには、探索空間を使用することができない。
【０１７５】
１つまたは複数の探索空間を、ＷＴＲＵのために構成し、および／または使用することができる。（例えば、各）探索空間は、定義されたサービスタイプおよび／またはトラフィックタイプと関連付けることができる。共通ＤＬ制御チャネルおよび１つまたは複数の専用ＤＬ制御チャネルのための探索空間を、ＷＴＲＵのために構成し、および／または使用することができる。共通ＤＬ制御チャネルのための探索空間（例えば、共通探索空間）は、公称システム帯域幅内に配置することができる。１つまたは複数の専用ＤＬ制御チャネルのための探索空間（例えば、専用探索空間）は、周波数バンド内に配置することができる。例えば、１つまたは複数の専用ＤＬ制御チャネルのための探索空間（例えば、専用探索空間）は、（例えば、各）専用ＤＬ制御チャネルの関連付けられた周波数バンド内に配置することができる。ＷＴＲＵは、サブフレーム（および／または無線フレーム、時間フレームなど）のサブセット内の共通探索空間を監視（monitor）することができ、および／またはそれをデコードすることを試みることができる。ＷＴＲＵは、サブフレーム（および／または無線フレーム、時間フレームなど）のサブセット内の専用探索空間を監視（monitor）すること、および／またはそれをデコードすることを試みることができる。専用探索空間を構成することができる。例えば、専用探索空間を動的に構成することができる。専用探索空間の存在についてのインジケーションを使用することができる。
【０１７６】
共通ＤＬ制御チャネルのための探索空間を使用することができる。例えば、特定のサービスタイプ、トラフィックタイプ、ＷＴＲＵカテゴリ、および／またはＷＴＲＵ能力のために、共通ＤＬ制御チャネルのための探索空間を使用することができる。専用ＤＬ制御チャネルのための１つまたは複数の探索空間を使用することができる。例えば、特定のサービスタイプ、トラフィックタイプ、ＷＴＲＵカテゴリ、および／またはＷＴＲＵ能力のために、専用ＤＬ制御チャネルのための１つまたは複数の探索空間を使用することができる。
【０１７７】
ＷＴＲＵおよび／または基地局デバイスは、１つまたは複数の探索空間を構成することができる。ＷＴＲＵは、構成された探索空間を監視すること、および／またはそれをデコードすることを試みることができる。（例えば、各）探索空間は、１つまたは複数のＣＣ候補を含むことができる。探索空間の数は、時間につれて変化することができる。例えば、探索空間の数は、サブフレーム番号および／または無線フレーム番号に基づいて、決定することができる。探索空間の数は、より高位のレイヤのシグナリングを介して、構成することができる。
【０１７８】
ＷＴＲＵおよび／または基地局デバイスは、探索空間の数に基づいて、探索空間のためのＣＣ候補の数を決定することができる。例えば、探索空間のためのＣＣ候補の数は、同じサブフレームおよび／または同じ時間期間内における、ＷＴＲＵが監視（monitor）すること、および／またはデコードすることを試みることができる探索空間の数に基づいて、決定することができる。ＣＣ候補の数は、構成された探索空間について同じにすることができる。例えば、ＮS,1個の探索空間が、構成され、および／または使用されるとき、（例えば、各）探索空間内には、ＮCC,1個のＣＣ候補が存在することができる。ＮS,2個の探索空間が、構成され、および／または使用されるとき、（例えば、各）探索空間内には、ＮCC,2個のＣＣ候補が存在することができる。ＮCC,1個は、ＮCC,2よりも大きくすることができる。ＮS,1は、ＮS,2よりも大きくすることができる。ＣＣ候補の数は、探索空間ごとに決定すること（例えば、独立に決定すること）ができる。ＷＴＲＵおよび／または基地局デバイスは、同じ時間期間内における、ＷＴＲＵが監視（monitor）すること、および／またはデコードすることを試みることができる探索空間の数の関数として、探索空間のためのＣＣ候補の数を変化させることができる。共通探索空間のためのＣＣ候補の数は、探索空間の数にかかわらず、同じにすることができる。専用探索空間のためのＣＣ候補の数は、時間期間内における探索空間の数に基づいて、決定することができる。
【０１７９】
ＷＴＲＵおよび／または基地局デバイスは、最大数の探索空間を構成することができる。ＷＴＲＵおよび／または基地局デバイスは、最大数の探索空間を、同時に、および／または同じ時間期間内に構成することができる。例えば、構成する（例えば、同時に、および／または同じ時間期間内に構成する）ことができる最大数の探索空間は、ＷＴＲＵカテゴリ、ＷＴＲＵ能力、サービスタイプ、トラフィックタイプ、送信タイプ、および／またはサブフレームタイプのうちの１つまたは複数に基づいて、決定することができる。例えば、１つまたは複数（例えば、２つ）の探索空間を、ＭＴＣ  ＷＴＲＵカテゴリのための最大数の探索空間とすることができる。ＷＴＲＵおよび／または基地局デバイスは、狭帯域サービスのために、単一の探索空間を使用することができる。狭帯域動作を可能にすることができるＷＴＲＵは、時間期間内に、単一の探索空間をサポートすることができる。異なる探索空間を、時間において多重化することができる。
【０１８０】
ＷＴＲＵおよび／または基地局デバイスは、１つまたは複数の探索空間を構成することができる。ＷＴＲＵは、構成された探索空間のサブセットを監視（monitor）すること、および／またはデコードすることを試みることができる。ＷＴＲＵが監視（monitor）すること、および／またはデコードすることを試みることができる探索空間のサブセットは、ＷＴＲＵカテゴリ、ＷＴＲＵ能力、サービスタイプ、トラフィックタイプ、送信タイプ、および／またはサブフレームタイプのうちの１つまたは複数に基づいて、決定することができる。サブセットは、探索空間タイプの事前定義されたプライオリティルールに基づいて、決定することができる。探索空間タイプは、定義されたチャネルタイプに関連する情報をその中で送信することができる探索空間と呼ばれることがある。
【０１８１】
ＷＴＲＵは、１つまたは複数のＤＣＩを受信することができる。例えば、ＷＴＲＵは、１つまたは複数の探索空間内におけるダウンリンク送信と関連付けられた、１つまたは複数のＤＣＩを受信することができる。ＷＴＲＵは、サービスタイプのために１つのＤＣＩを、別のサービスタイプのために別のＤＣＩを受信することができる。
【０１８２】
制御情報は、データ送信のために使用される時間／周波数リソース内において搬送することができる。１つまたは複数の探索空間を、ＷＴＲＵに対して構成することができる。ＷＴＲＵは、探索空間の選択された（および／または決定された）サブセットを監視（monitor）すること、および／またはデコードすることを試みることができる選択されなかった（および／または決定されなかった）探索空間内において送信することができる制御情報は、選択された（および／または決定された）探索空間内において送信される制御チャネルと関連付けられたデータチャネル内において、送信すること（および／またはピギーバックすること）ができる。選択された（および／または決定された）探索空間内において送信されるＤＣＩは、ピギーバックされた制御情報の存在を示すことができる。選択された（および／または決定された）探索空間内において送信されるＤＣＩは、ピギーバックされた制御情報を搬送することができるデータチャネルの時間／周波数ロケーションを示すことができる。ピギーバックされた制御情報は、選択された（および／または決定された）探索空間内におけるＤＣＩとして、送信することができる。選択された探索空間内におけるＤＣＩ、およびピギーバックされた制御情報を搬送するＤＣＩのために、異なるＲＮＴＩを使用することができる。ＷＴＲＵが、ピギーバックされた制御情報を搬送するＤＣＩを監視（monitor）する場合、ＣＣ候補の数は、増加することができる。選択された（および／または決定された）探索空間と関連付けられた制御情報、ならびにピギーバックされた制御情報は、符号化（例えば、共同で符号化）し、および／またはＤＣＩ内において送信することができる。
【０１８３】
ＷＴＲＵおよび／または基地局デバイスは、ＤＣＩを１つまたは複数の符号ブロックに連結することができる。例えば、ＤＣＩは、符号ブロックの先頭または末尾において、１つまたは複数の符号ブロックに連結することができる。ＤＣＩは、送信の符号ブロックの先頭または末尾において、１つもしくは複数の符号ブロックに連結することができ、および／または１つもしくは複数のトランスポートブロックに連結することができる。インジケーションは、（例えば、各）符号ブロックおよび／またはトランスポートブロック内において、データとともにエンコード（例えば、共同でエンコード）すること、および／またはデータとは別にエンコードすることができる。インジケーションは、（例えば、各）符号ブロックおよび／またはトランスポートブロックの末尾に追加される巡回冗長検査をマスクするために、使用することができる。
【０１８４】
ＷＴＲＵおよび／または基地局デバイスは、１つまたは複数の符号ブロックを、１つまたは複数の関連付けられたＤＣＩとともに使用することができる。第１のＤＣＩは、第１の符号ブロックと関連付けることができる。第１のＤＣＩは、制御領域（例えば、ＤＬ制御領域）において、送信することができる。第２のＤＣＩは、第２の符号ブロックと関連付けることができる。第２のＤＣＩは、第１のＤＣＩによってスケジュールすることができるデータチャネル（または符号ブロック）において、送信することができる。（例えば、各）符号ブロックは、データ情報および／またはトランスポートブロックを搬送することができる。各符号ブロックは、トランスポートブロックの部分を搬送することができる。トランスポートブロックのために、単一のＨＡＲＱ−ＡＣＫを送信することができる。１つまたは複数の符号ブロックを、トランスポートブロックと関連付けることができる。（例えば、各）符号ブロックは、ＣＲＣ値を含むことができる。制御領域内において送信することができる第１のＤＣＩは、後続のＤＣＩのＤＣＩフィールドのスーパーセットとすることができる、ＤＣＩフィールドを含むことができる。
【０１８５】
１つまたは複数のＤＣＩは、ＷＴＲＵアイデンティティを含むことができる。例えば、第１のＤＣＩは、ＷＴＲＵアイデンティティを含むことができる。１つまたは複数のＤＣＩは、ＷＴＲＵアイデンティティを含まないことがある。例えば、後続のＤＣＩは、ＷＴＲＵアイデンティティを含まないことがある。符号ブロックの周波数リソースは、第１のＤＣＩによって決定し、および／またはスケジュールすることができる。後続のＤＣＩは、後続の符号ブロックの存在、後続の符号ブロックのペイロードサイズ、および／もしくは後続の符号ブロックの時間リソースのうちの１もしくは複数を含み、ならびに／またはそれらを示すことができる。
【０１８６】
ＷＴＲＵおよび／または基地局デバイスは、ダウンリンクデータおよび／またはアップリンクデータをスケジュールするために、ダウンリンク制御情報を使用することができる。ＤＣＩは、関連付けられたデータチャネルのリソース割り当て、変調および符号化方式、開始ＢＴＩ、終了ＢＴＩ、トランスポートブロックサイズ、ＨＡＲＱプロセス番号、新規データインジケータ、キャリアインジケータ、空間レイヤの数、および／またはアップリンク電力制御フィールドのうちの１つまたは複数を含むことができる。
【０１８７】
ＷＴＲＵおよび／または基地局デバイスは、ＤＣＩのために、ＣＲＣを使用することができる。ＣＲＣサイズは、ＤＣＩのペイロードサイズに基づいて、決定することができる。例えば、ＤＣＩペイロードサイズが、事前定義された閾値よりも小さい場合、第１のＣＲＣサイズ（例えば、８ビット）を使用することができる。ＤＣＩペイロードサイズが、事前定義された閾値よりも大きい場合、第２のＣＲＣサイズ（例えば、１６ビット）を使用することができる。ＤＣＩのペイロードサイズが、事前定義された閾値よりも大きい場合、ＤＣＩのために、ＣＲＣを使用することができる。
【０１８８】
ＣＲＣのサイズは、ＷＴＲＵカテゴリ、ＷＴＲＵ能力、サービスタイプ、トラフィックタイプ、送信タイプ、および／またはサブフレームタイプのうちの１つまたは複数に基づいて、決定することができる。ＣＲＣサイズは、値０を含むことができ、それは、ＣＲＣなしと見なすことができる。０のＣＲＣサイズは、低待ち時間接続（例えば、超低待ち時間サービス）を使用することができる定義されたサービスタイプのために、使用することができる。０のＣＲＣサイズは、単一のＣＣ候補を含むことができる定義された探索空間内におけるＤＣＩのために、使用することができる。大きいＣＲＣサイズは、高信頼性（例えば、超信頼送信ultra-reliable transmission）によって特徴付けることができる定義された探索空間のために、使用することができる。
【０１８９】
ＷＴＲＵおよび／または基地局デバイスは、データチャネルの反復送信を開始し、および／または停止するために、インジケーション（例えば、開始インジケーション、停止インジケーションなど）を使用することができる。例えば、送信モードおよび／または方式は、アップリンクおよび／またはダウンリンクデータ送信の送信（例えば、反復送信）を使用することができる。関連付けられたＤＣＩは、反復送信の開始および／または停止のインジケーションを含むことができる。ＷＴＲＵが、反復送信の開始および／または停止のインジケーションを受信した場合、ＷＴＲＵは、反復的な信号送信を送信および／または受信することを開始し、および／または停止することができる。例えば、ＷＴＲＵが、開始のインジケーションを受信した場合、ＷＴＲＵは、ＷＴＲＵが、停止のインジケーションを受信するまで、反復的な信号送信を送信および／または受信することを開始することができる。定義されたサービスタイプ（例えば、超信頼サービスultra-reliable service）と関連付けられたＤＣＩのために、開始および停止インジケーションを使用することができる。
【０１９０】
柔軟な無線アクセス通信システムを実施するために、ＷＴＲＵのために、１つまたは複数の探索空間を構成することができる。ＷＴＲＵは、構成された探索空間についての関連付けられたチャネルステータス情報を報告することができる。ＷＴＲＵは、（例えば、各）構成された探索空間の受信信号電力レベルを報告することができる。ＷＴＲＵは、最も高い受信信号電力レベルを有することができる探索空間を報告することができる。例えば、ＷＴＲＵは、最も高い受信信号電力レベルを有することができる好ましい探索空間を報告することができる。ＷＴＲＵは、探索空間内における好ましいＣＣ候補インデックスを報告することができる。
【０１９１】
ＷＴＲＵは、柔軟な無線アクセス通信システムを実施するために、ダウンリンク制御チャネル処理時間についてのそれの能力を報告することができる。例えば、ＷＴＲＵは、（例えば、各）ダウンリンク制御チャネルタイプの処理時間を報告することができる。報告された処理時間に基づいて、制御チャネルとデータチャネルとの間のタイミング関係を決定することができる。制御チャネルとＨＡＲＱ−ＡＣＫとの間のタイミング関係を決定することができる。
【０１９２】
本明細書において説明されたプロセスおよび／または手段は、任意の組み合わせで適用することができ、他の無線技術に、および他のサービスに対して適用することができる。
【０１９３】
ＷＴＲＵとは、物理デバイスのアイデンティティ、またはサブスクリプション関連のアイデンティティ（例えば、ＭＳＩＳＤＮ、ＳＩＰ  ＵＲＩなど）などのユーザのアイデンティティのこととすることができる。ＷＴＲＵとは、アプリケーションベースのアイデンティティのこととすることができる。例えば、ＷＴＲＵとは、アプリケーションごとに使用することができるユーザ名のこととすることができる。
【０１９４】
上で説明されたプロセスは、コンピュータおよび／またはプロセッサによって実行される、コンピュータ可読媒体内に包含された、コンピュータプログラム、ソフトウェア、および／またはファームウェアで実施することができる。コンピュータ可読媒体の例は、限定することなく、（有線および／もしくは無線接続上で送信される）電子信号、ならびに／またはコンピュータ可読記憶媒体を含む。コンピュータ可読記憶媒体の例は、限定することなく、リードオンリメモリ（ＲＯＭ）、ランダムアクセスメモリ（ＲＡＭ）、レジスタ、キャッシュメモリ、半導体メモリデバイス、内蔵ハードディスクおよびリムーバブルディスクなどの、しかし、それらに限定されない、磁気媒体、光磁気媒体、ならびに／またはＣＤ−ＲＯＭディスクおよび／もしくはデジタル多用途ディスク（ＤＶＤ）などの光媒体を含む。ＷＴＲＵ、ＵＥ、端末、基地局、ＲＮＣ、および／または任意のホストコンピュータにおいて使用するための無線周波数送受信機を実施するために、ソフトウェアと連携するプロセッサを使用することができる。
【図１Ａ】
2018531538.tif 000004
【図１Ｂ】
2018531538.tif 000005
【図１Ｃ】
2018531538.tif 000006
【図１Ｄ】
2018531538.tif 000007
【図１Ｅ】
2018531538.tif 000008
【図２】
2018531538.tif 000009
【図３】
2018531538.tif 000010
【図４】
2018531538.tif 000011
【図５】
2018531538.tif 000012
【図６】
2018531538.tif 000013
【図７】
2018531538.tif 000014
【図８】
2018531538.tif 000015
【図９】
2018531538.tif 000016
【図１０】
2018531538.tif 000017
【図１１】
2018531538.tif 000018
【図１２】
2018531538.tif 000019
【手続補正書】
【提出日】平成30年7月9日(2018.7.9)
【手続補正１】
【補正対象書類名】特許請求の範囲
【補正対象項目名】全文
【補正方法】変更
【補正の内容】
【特許請求の範囲】
【請求項１】
無線送受信ユニット（ＷＴＲＵ）において、
システム帯域幅のサブセットである第１の帯域幅領域を識別し、前記システム帯域幅は前記第１の帯域幅領域および前記第１の帯域幅領域の外である少なくとも第２の帯域幅領域を含んでおり、前記第１の帯域幅領域は、セルへ最初にアクセスするときに前記ＷＴＲＵによって使用され、
前記第１の帯域幅領域内で送信された第１のダウンリンク制御チャネル送信を識別し、
ＷＴＲＵ固有のより高位のレイヤのシグナリングを介して、前記システム帯域幅内の前記第２の帯域幅領域内において第２のダウンリンク制御チャネルの構成を受信し、
前記第２の帯域幅領域において送信された前記第２のダウンリンク制御チャネルをモニタする
よう構成されたプロセッサ
を備えたＷＴＲＵ。
【請求項２】
前記第２のダウンリンク制御チャネルは、波形、数値、リソース要素タイプ、リソースブロックタイプおよび制御チャネルタイプのうちの１つ以上に関連付けられている請求項１に記載のＷＴＲＵ。
【請求項３】
前記数値は、サブキャリア間隔、時間シンボル長およびサイクリックプレフィックス長のうちの１つ以上を含む請求項２に記載のＷＴＲＵ。
【請求項４】
前記プロセッサは、前記第１の帯域幅領域内で送信された前記第１のダウンリンク制御チャネルを介して受信されたインジケーションに基づいて、前記第２の帯域幅領域内で送信された前記第２のダウンリンク制御チャネルをモニタするようさらに構成された請求項１に記載のＷＴＲＵ。
【請求項５】
前記第１の帯域幅領域および前記第２の帯域幅領域は、連続した物理リソースブロックのセットからなる請求項１に記載のＷＴＲＵ。
【請求項６】
前記第１のダウンリンク制御チャネルは共通制御チャネルに対応し、前記第２のダウンリンク制御チャネルは専用制御チャネルに対応する請求項１に記載のＷＴＲＵ。
【請求項７】
前記第２のダウンリンク制御チャネルの時間および周波数位置は、前記第２の帯域幅領域内で事前決定される請求項１に記載のＷＴＲＵ。
【請求項８】
前記プロセッサは、前記システム帯域幅内の前記第１の帯域幅領域の上のみにおける前記送信を受信することによって、ダウンリンクキャリアを獲得するようさらに構成された請求項１に記載のＷＴＲＵ。
【請求項９】
前記第１の帯域幅領域および前記第２の帯域幅領域は、各々異なる数値に関連付けられている請求項１に記載のＷＴＲＵ。
【請求項１０】
システム帯域幅のサブセットである第１の帯域幅領域を識別するステップであって、前記システム帯域幅は前記第１の帯域幅領域および前記第１の帯域幅領域の外である少なくとも第２の帯域幅領域を含んでおり、前記第１の帯域幅領域は、セルへ最初にアクセスするときに無線送受信ユニット（ＷＴＲＵ）によって使用される、識別するステップと、
前記第１の帯域幅領域内で送信された第１のダウンリンク制御チャネル送信を識別するステップと、
ＷＴＲＵ固有のより高位のレイヤのシグナリングを介して、前記システム帯域幅内の前記第２の帯域幅領域内において第２のダウンリンク制御チャネルの構成を受信するステップと、
前記第２の帯域幅領域において送信された前記第２のダウンリンク制御チャネルをモニタするスッテプと
を備える方法。
【請求項１１】
前記第２のダウンリンク制御チャネルは、波形、数値、リソース要素タイプ、リソースブロックタイプおよび制御チャネルタイプのうちの１つ以上に関連付けられている請求項１０に記載の方法。
【請求項１２】
前記数値は、サブキャリア間隔、時間シンボル長およびサイクリックプレフィックス長のうちの１つ以上を含む請求項１１に記載の方法。
【請求項１３】
前記第１の帯域幅領域内で送信された前記第１のダウンリンク制御チャネルを介して受信されたインジケーションに基づいて、前記第２の帯域幅領域内で送信された前記第２のダウンリンク制御チャネルをモニタするステップ
をさらに備える請求項１０に記載の方法。
【請求項１４】
前記第１のダウンリンク制御チャネルは共通制御チャネルに対応し、前記第２のダウンリンク制御チャネルは専用制御チャネルに対応する請求項１０に記載の方法。
【請求項１５】
前記第１の帯域幅領域および前記第２の帯域幅領域は、各々異なる数値に関連付けられている請求項１０に記載の方法。
【国際調査報告】
2018531538.tif 000020
2018531538.tif 000021
2018531538.tif 000022